(57)【特許請求の範囲】
【請求項１】
第１相関色温度で発光する第１ＬＥＤを有する第１ＬＥＤ部と、第１電流範囲および前記第１電流範囲より低い側の第２電流範囲を有する第１点灯電流で前記第１ＬＥＤ部を点灯する第１点灯回路とを備えた照明装置であって、
前記第１点灯回路は、前記第１電流範囲のとき前記第１電流範囲の上限である第１上限電流による前記第１ＬＥＤ部の第１順方向電圧より高い第１点灯電圧に設定される第１定電圧回路と、前記第１電流範囲を直流で制御する第１定電流回路と、前記第２電流範囲をパルス幅変調で制御する第２定電流回路とを備え、
前記第１電流範囲において、前記第１定電流回路は、前記第１定電流回路へ入力された第１参照電圧に基づいて前記第１点灯電流を制御し、
前記第２電流範囲において、前記第１定電圧回路は、前記第１定電圧回路へ入力された第２参照電圧に基づき、かつ、前記第１点灯電圧より低い定電圧である第２点灯電圧で前記第１ＬＥＤ部へ前記第１点灯電流を供給し、前記第２定電流回路は、前記第２定電流回路へ入力された第３参照電圧に基づく前記第２電流範囲の上限である第２上限電流にパルス幅変調を施して前記第１点灯電流を制御する構成とされていること
を特徴とする照明装置。
【請求項２】
請求項１に記載の照明装置であって、
前記第２点灯電圧は、前記第２上限電流による前記第１ＬＥＤ部の第２順方向電圧より高く、前記第１順方向電圧より低い定電圧であること
を特徴とする照明装置。
【請求項３】
請求項１または請求項２に記載の照明装置であって、
第２相関色温度で発光する第２ＬＥＤを有する第２ＬＥＤ部と、第３電流範囲および前記第３電流範囲より低い側の第４電流範囲を有する第２点灯電流で前記第２ＬＥＤ部を点灯する第２点灯回路とを備え、
前記第２点灯回路は、前記第３電流範囲のとき前記第３電流範囲の上限である第３上限電流による前記第２ＬＥＤ部の第３順方向電圧より高い第３点灯電圧に設定される第２定電圧回路と、前記第３電流範囲を直流で制御する第３定電流回路と、前記第４電流範囲をパルス幅変調で制御する第４定電流回路とを備え、
前記第３電流範囲において、前記第３定電流回路は、前記第３定電流回路へ入力された第４参照電圧に基づいて前記第２点灯電流を制御し、
前記第４電流範囲において、前記第２定電圧回路は、前記第２定電圧回路へ入力された第５参照電圧に基づく第４点灯電圧で前記第２ＬＥＤ部へ前記第２点灯電流を供給し、前記第４定電流回路は、前記第４定電流回路へ入力された第６参照電圧に基づく前記第４電流範囲の上限である第４上限電流にパルス幅変調を施して前記第２点灯電流を制御する構成とされていること
を特徴とする照明装置。
【請求項４】
請求項３に記載の照明装置であって、
前記第４点灯電圧は、前記第４上限電流による前記第２ＬＥＤ部の第４順方向電圧より高く、前記第３順方向電圧より低い定電圧であること
を特徴とする照明装置。
【発明の詳細な説明】
【技術分野】
【０００１】
本発明は、発光ダイオード（ＬＥＤ）を第１電流範囲と第１電流範囲より低い側の第２電流範囲とで点灯する照明装置に関する。
【背景技術】
【０００２】
ＬＥＤを照明装置に適用することが提案されている。また、調光技術として、ＬＥＤに供給する電流の小さい低輝度領域における電流制御について、いくつかの提案がされている（例えば、特許文献１ないし特許文献３参照。）。
【０００３】
これらの特許文献には、単色のＬＥＤに対する調光が開示されているが異なる相関色温度を有するＬＥＤに対する調光、調色については開示が無い。
【先行技術文献】
【特許文献】
【０００４】
【特許文献１】特開２００８−６０２２２号公報
【特許文献２】特開２００９−５４４２５号公報
【特許文献３】特開２００６−１３５２９７号公報
【発明の概要】
【発明が解決しようとする課題】
【０００５】
上記したとおり、従来の特許文献では、単一の相関色温度を有するＬＥＤに対する調光技術は開示されているが、第１の相関色温度を有する第１ＬＥＤ、第２の相関色温度を有する第２ＬＥＤに対する調光制御および調色制御を併せて行う技術は開示されていない。
【０００６】
また、照明装置に対するＬＥＤの採用が広がるに従って、調光と調色を広い範囲で効果的に行う深調光に関する新規で有用な提案が求められるようになっている。また、点灯回路での消費電力の低減が求められている。
【０００７】
本発明はこのような状況に鑑みてなされたものであり、指定された明るさに基づいて調光制御をするとき、または、指定された相関色温度に基づいて調色制御をするとき、ＬＥＤ（第１ＬＥＤ部、第２ＬＥＤ部）に供給する電流を高精細で高精度に制御する照明装置に関する。
【０００８】
つまり、本発明は、第１点灯電流の高い側である第１電流範囲については、第１点灯電流を第１定電流回路が直流で制御し、第１点灯電流の低い側である第２電流範囲については、第２点灯電圧を出力する第１定電圧回路から供給される第１点灯電流を第２定電流回路が第２電流範囲の上限である第２上限電流にパルス幅変調を施して制御することによって、広い範囲での調光制御と調色制御を高精細で高精度に実行することができる照明装置を提供することを目的とする。
【課題を解決するための手段】
【０００９】
本発明に係る照明装置は、第１相関色温度で発光する第１ＬＥＤを有する第１ＬＥＤ部と、第１電流範囲および前記第１電流範囲より低い側の第２電流範囲を有する第１点灯電流で前記第１ＬＥＤ部を点灯する第１点灯回路とを備えた照明装置であって、前記第１点灯回路は、前記第１電流範囲のとき前記第１電流範囲の上限である第１上限電流による前記第１ＬＥＤ部の第１順方向電圧より高い第１点灯電圧に設定される第１定電圧回路と、前記第１電流範囲を直流で制御する第１定電流回路と、前記第２電流範囲をパルス幅変調で制御する第２定電流回路とを備え、前記第１電流範囲において、前記第１定電流回路は、前記第１定電流回路へ入力された第１参照電圧に基づいて前記第１点灯電流を制御し、前記第２電流範囲において、前記第１定電圧回路は、前記第１定電圧回路へ入力された第２参照電圧に基づく第２点灯電圧で前記第１ＬＥＤ部へ前記第１点灯電流を供給し、前記第２定電流回路は、前記第２定電流回路へ入力された第３参照電圧に基づく前記第２電流範囲の上限である第２上限電流にパルス幅変調を施して前記第１点灯電流を制御する構成とされていることを特徴とする。
【００１０】
したがって、本発明に係る照明装置は、広い範囲での調光制御と調色制御を高精細で高精度に実行することができる。また、本発明に係る照明装置は、第１点灯電流の内で高い側である第１電流範囲については、第１点灯電圧に設定された第１定電圧回路を介して供給される第１点灯電流を第１定電流回路によって直流で制御し、第１点灯電流の内で低い側である第２電流範囲については、第２点灯電圧を出力する第１定電圧回路から供給される第１点灯電流を第２定電流回路によって第２電流範囲の上限である第２上限電流にパルス幅変調を施して制御することから、第２電流範囲での第２定電流回路における消費電力を低減し、第１ＬＥＤ部での消費電力に対する第２定電流回路での消費電力の割合を抑制して消費電力効率を向上させることができる。
【００１１】
また、本発明に係る照明装置では、前記第２点灯電圧は、前記第２上限電流による前記第１ＬＥＤ部の第２順方向電圧より高く、前記第１順方向電圧より低い定電圧であることを特徴とする。
【００１２】
したがって、本発明に係る照明装置は、第１定電圧回路の出力を第１電流範囲に対応して高い状態とされた第１点灯電圧と、第２電流範囲に対応して低い状態とされた第２点灯電圧とで確実に切り替えることから、第２電流範囲における第１点灯回路（第２定電流回路）での消費電力を容易にかつ確実に抑制することができる。
【００１３】
また、本発明に係る照明装置では、第２相関色温度で発光する第２ＬＥＤを有する第２ＬＥＤ部と、第３電流範囲および前記第３電流範囲より低い側の第４電流範囲を有する第２点灯電流で前記第２ＬＥＤ部を点灯する第２点灯回路とを備え、前記第２点灯回路は、前記第３電流範囲のとき前記第３電流範囲の上限である第３上限電流による前記第２ＬＥＤ部の第３順方向電圧より高い第３点灯電圧に設定される第２定電圧回路と、前記第３電流範囲を直流で制御する第３定電流回路と、前記第４電流範囲をパルス幅変調で制御する第４定電流回路とを備え、前記第３電流範囲において、前記第３定電流回路は、前記第３定電流回路へ入力された第４参照電圧に基づいて前記第２点灯電流を制御し、前記第４電流範囲において、前記第２定電圧回路は、前記第２定電圧回路へ入力された第５参照電圧に基づく第４点灯電圧で前記第２ＬＥＤ部へ前記第２点灯電流を供給し、前記第４定電流回路は、前記第４定電流回路へ入力された第６参照電圧に基づく前記第４電流範囲の上限である第４上限電流にパルス幅変調を施して前記第２点灯電流を制御する構成とされていることを特徴とする。
【００１４】
したがって、本発明に係る照明装置は、広い範囲での調光制御と調色制御を高精細で高精度に実行することができる。また、本発明に係る照明装置は、第２点灯回路が、第１定電圧回路と同様に動作する第２定電圧回路と、第１定電流回路と同様に動作する第３定電流回路と、第２定電流回路と同様に動作する第４定電流回路とを備えることから、第２点灯回路を第１点灯回路と同様に機能させるので、第４電流範囲での第４定電流回路における消費電力を低減し、第２ＬＥＤ部での消費電力に対する第４定電流回路での消費電力の割合を抑制して消費電力効率を向上させることができる。
【００１５】
また、本発明に係る照明装置では、前記第４点灯電圧は、前記第４上限電流による前記第２ＬＥＤ部の第４順方向電圧より高く、前記第３順方向電圧より低い定電圧であることを特徴とする。
【００１６】
したがって、本発明に係る照明装置は、第２定電圧回路の出力を第３電流範囲に対応して高い状態とされた第３点灯電圧と、第４電流範囲に対応して低い状態とされた第４点灯電圧とで確実に切り替えることから、第４電流範囲における第１点灯回路（第４定電流回路）での消費電力を容易にかつ確実に抑制することができる。
【発明の効果】
【００１７】
本発明に係る照明装置は、第１点灯電流の内で高い側である第１電流範囲については、第１定電流回路が直流で制御し、第１点灯電流の内で低い側である第２電流範囲については、第２点灯電圧を出力する第１定電圧回路から供給される第１点灯電流を第２定電流回路が第２電流範囲の第２上限電流にパルス幅変調を施して制御する。
【００１８】
したがって、本発明に係る照明装置は、広い範囲での調光制御と調色制御を高精細で高精度に実行することができるという効果を奏する。また、第２電流範囲での第２定電流回路における消費電力を低減し、第１ＬＥＤ部での消費電力に対する第２定電流回路での消費電力の割合を抑制して消費電力効率を向上させることができるという効果を奏する。
【図面の簡単な説明】
【００１９】
【図１Ａ】本発明の実施の形態１に係る照明装置の機能ブロックを示すブロック図である。
【図１Ｂ】図１Ａに示した照明装置において第１ＬＥＤ部および第２ＬＥＤ部に供給する点灯電流の電流範囲の仕分け状態を概念的に説明する図表である。
【図２Ａ】図１Ａに示した照明装置における基本的な動作フロー（１）を示すフロー図である。
【図２Ｂ】図１Ａに示した照明装置における基本的な動作フロー（２）を示すフロー図である。
【図３】図１Ａに示した照明装置における第１点灯回路の具体的な回路構成を示す回路図である。
【図４】図１Ａに示した照明装置における第２点灯回路の具体的な回路構成を示す回路図である。
【図５】本発明の実施の形態２に係る照明装置での調光段数、調色段数、第１点灯電流、第２点灯電流、調色相関色温度の相関を示す図表である。
【図６Ａ】図５に示した第１点灯電流および第２点灯電流によって調光制御および調色制御を施したときの調色段数（１段）での調光率（調光段数）対調色相関色温度の状態を示すグラフである。
【図６Ｂ】図５に示した第１点灯電流および第２点灯電流によって調光制御および調色制御を施したときの調色段数（２段）での調光率（調光段数）対調色相関色温度の状態を示すグラフである。
【図６Ｃ】図５に示した第１点灯電流および第２点灯電流によって調光制御および調色制御を施したときの調色段数（３段）での調光率（調光段数）対調色相関色温度の状態を示すグラフである。
【図６Ｄ】図５に示した第１点灯電流および第２点灯電流によって調光制御および調色制御を施したときの調色段数（４段）での調光率（調光段数）対調色相関色温度の状態を示すグラフである。
【図６Ｅ】図５に示した第１点灯電流および第２点灯電流によって調光制御および調色制御を施したときの調色段数（９段）での調光率（調光段数）対調色相関色温度の状態を示すグラフである。
【図６Ｆ】図５に示した第１点灯電流および第２点灯電流によって調光制御および調色制御を施したときの調色段数（１０段）での調光率（調光段数）対調色相関色温度の状態を示すグラフである。
【図７】比較例として本発明の実施の形態１に係る照明装置に対して調光制御の最小値を設定した場合における調光段数、調色段数、第１点灯電流、第２点灯電流、調色相関色温度の相関を示す図表である。
【図８Ａ】図７に示した第１点灯電流および第２点灯電流によって調光制御および調色制御を施したときの調色段数（１段）での調光率（調光段数）対調色相関色温度の状態を示すグラフである。
【図８Ｂ】図７に示した第１点灯電流および第２点灯電流によって調光制御および調色制御を施したときの調色段数（２段）での調光率（調光段数）対調色相関色温度の状態を示すグラフである。
【図８Ｃ】図７に示した第１点灯電流および第２点灯電流によって調光制御および調色制御を施したときの調色段数（３段）での調光率（調光段数）対調色相関色温度の状態を示すグラフである。
【図８Ｄ】図７に示した第１点灯電流および第２点灯電流によって調光制御および調色制御を施したときの調色段数（４段）での調光率（調光段数）対調色相関色温度の状態を示すグラフである。
【図８Ｅ】図７に示した第１点灯電流および第２点灯電流によって調光制御および調色制御を施したときの調色段数（９段）での調光率（調光段数）対調色相関色温度の状態を示すグラフである。
【図８Ｆ】図７に示した第１点灯電流および第２点灯電流によって調光制御および調色制御を施したときの調色段数（１０段）での調光率（調光段数）対調色相関色温度の状態を示すグラフである。
【発明を実施するための形態】
【００２０】
以下、本発明の実施の形態について図面を参照して説明する。
【００２１】
＜実施の形態１＞
図１Ａないし図４を参照して、本実施の形態に係る照明装置１について説明する。
【００２２】
図１Ａは、本発明の実施の形態１に係る照明装置１の機能ブロックを示すブロック図である。
【００２３】
図１Ｂは、図１Ａに示した照明装置１において第１ＬＥＤ部３ｇおよび第２ＬＥＤ部５ｇに供給する点灯電流の電流範囲の仕分け状態を概念的に説明する図表である。
【００２４】
本実施の形態に係る照明装置１は、暖色を発光する第１ＬＥＤ部３ｇと寒色を発光する第２ＬＥＤ部５ｇとの発光状態（点灯電流）の大小関係を変更することによって、暖色から寒色までの広い範囲での調色（相関色温度の調整）と、調光時の相関色温度の変化を抑制した高精細で高精度の調光（明るさの調整）とが可能である。
【００２５】
また、第１ＬＥＤ部３ｇは、第２ＬＥＤ部５ｇとは別個に独立して点灯することが可能であり、単独で点灯した場合（例えば第１相関色温度ＣＴ１の単色）の調光が同様に実行される。また、第２ＬＥＤ部５ｇは、第１ＬＥＤ部３ｇとは別個に独立して点灯することが可能であり、単独で点灯した場合（例えば第２相関色温度ＣＴ２の単色）の調光が同様に実行される。なお、暖色（第１相関色温度ＣＴ１）、寒色（第２相関色温度ＣＴ２）として説明するが単独で点灯する場合、第１ＬＥＤ部３ｇ、第２ＬＥＤ部５ｇの代わりに発光色（相関色温度）が異なる別の種類のＬＥＤを適用することも可能である。
【００２６】
本実施の形態に係る照明装置１は、第１相関色温度ＣＴ１（例えば、暖色系で相関色温度２７００Ｋ（ケルビン））で発光する第１ＬＥＤ部３ｇと、第１ＬＥＤ部３ｇに第１点灯電流Ｉｄｗを供給する第１点灯回路１０と、第２相関色温度ＣＴ２（例えば、寒色系で相関色温度６５００Ｋ（ケルビン））で発光する第２ＬＥＤ部５ｇと、第２ＬＥＤ部５ｇに第２点灯電流Ｉｄｃを供給する第２点灯回路２０と、第１点灯回路１０および第２点灯回路２０を制御する制御部３０とを備える。制御部３０は、バス３０ｂを介して適宜の制御信号を第１点灯回路１０および第２点灯回路２０へ送信し、第１点灯回路１０および第２点灯回路２０の動作を制御する。
【００２７】
第１ＬＥＤ部３ｇは、同一仕様を有する第１ＬＥＤ３が必要に応じた個数（単数あるいは複数）で直列あるいは並列に接続され（図３参照）、第２ＬＥＤ部５ｇは、同一仕様を有する第２ＬＥＤ５が必要に応じた個数（単数あるいは複数）で直列あるいは並列に接続され（図４参照）ている。つまり、第１ＬＥＤ部３ｇは、同一仕様の第１ＬＥＤ３で構成され、第２ＬＥＤ部５ｇは、同一仕様の第２ＬＥＤ５で構成されることが好ましい。以下では、第１ＬＥＤ３、第２ＬＥＤ５の個数に関係なく単に第１ＬＥＤ部３ｇ、第２ＬＥＤ部５ｇとして記載する。
【００２８】
第１ＬＥＤ部３ｇ、第２ＬＥＤ部５ｇがそれぞれ複数の第１ＬＥＤ３、第２ＬＥＤ５で構成された場合、照明装置１は、大きな光出力が得られるので、従来の照明器具に対して置き換わることが可能となり、制御性が良く信頼性の高い照明を実現することができる。
【００２９】
上記したとおり、本実施の形態に係る照明装置１は、第１相関色温度ＣＴ１で発光する第１ＬＥＤ３を有する第１ＬＥＤ部３ｇと、第１電流範囲Ａｒ１および第１電流範囲Ａｒ１より低い側の第２電流範囲Ａｒ２を有する第１点灯電流Ｉｄｗで第１ＬＥＤ部３ｇを点灯する第１点灯回路１０とを備える。
【００３０】
第１点灯電流Ｉｄｗ（第１上限電流としての１００％点灯状態から０％超の微小点灯状態まで）は、大電流が流れる側の範囲としての第１電流範囲Ａｒ１と、第１電流範囲Ａｒ１に対して低い側の小電流が流れる範囲としての第２電流範囲Ａｒ２とを有する（図１Ｂ）。
【００３１】
第１点灯電流Ｉｄｗが１００％点灯から０％消灯の間で調光されるとき、１００％点灯（例えば直流１００ｍＡ）から第２電流範囲Ａｒ２の上限値である第２上限電流Ｉｕ２（例えば直流３ｍＡ）までの範囲（第１電流範囲Ａｒ１）では、第１点灯電流Ｉｄｗは、直流で制御される。第２電流範囲Ａｒ２は、第１電流範囲Ａｒ１より低い側の電流範囲で、０より大きく第２上限電流Ｉｕ２を上限とする範囲である。
【００３２】
本実施の形態に係る照明装置１は、第２相関色温度ＣＴ２で発光する第２ＬＥＤ５を有する第２ＬＥＤ部５ｇと、第１電流範囲Ａｒ１および第１電流範囲Ａｒ１より低い側の第２電流範囲Ａｒ２を有する第２点灯電流Ｉｄｃで第２ＬＥＤ部５ｇを点灯する第２点灯回路２０とを備える。
【００３３】
第２点灯電流Ｉｄｃ（１００％点灯状態から０％の消灯状態まで）は、大電流が流れる側の範囲としての第３電流範囲Ａｒ３と、第１電流範囲Ａｒ３に対して低い側の小電流が流れる範囲としての第４電流範囲Ａｒ４とを有する（図１Ｂ）。
【００３４】
第２点灯電流Ｉｄｃが１００％点灯から０％消灯の間で調光されるとき、１００％点灯（例えば直流１００ｍＡ）から第４電流範囲Ａｒ４の上限値である第４上限電流Ｉｕ４（例えば直流３ｍＡ）までの範囲（第３電流範囲Ａｒ３）では、第２点灯電流Ｉｄｃは、直流で制御される。第４電流範囲Ａｒ４は、第３電流範囲Ａｒ３より低い側の電流範囲で、０より大きく第４上限電流Ｉｕ４を上限とする範囲である。
【００３５】
第１点灯電流Ｉｄｗが第２電流範囲Ａｒ２の上限を示す第２上限電流Ｉｕ２（例えば３ｍＡ）から消灯直前の状態（例えば、第２上限電流Ｉｕ２の３ｍＡに対して、１００分の１の０．０３ｍＡ）までの範囲（第２電流範囲Ａｒ２）では、第１点灯電流Ｉｄｗは、第２上限電流Ｉｕ２に対するパルス幅変調（以下、ＰＷＭとすることがある。）で制御される。
【００３６】
つまり、第１点灯電流Ｉｄｗの大きさによって、直流での制御と、ＰＷＭでの制御とが切り替えられている。相対的に大電流となる第１電流範囲Ａｒ１では直流電流によって第１点灯電流Ｉｄｗの電流値を制御する。また、相対的に小電流となる第２電流範囲Ａｒ２では、第２上限電流Ｉｕ２に対してＰＷＭを施すことによって第１点灯電流Ｉｄｗの電流値を制御する。
【００３７】
したがって、第２上限電流Ｉｕ２以下の電流に対する制御を更に高精度に高精細化することができ、またどのように小さい電流の場合でも、点灯状態では一定の第２上限電流Ｉｕ２が第１ＬＥＤ部３ｇに印加されることから安定した点灯状態を確保することができる。
【００３８】
また、第２点灯電流Ｉｄｃが第４電流範囲Ａｒ４の第４上限電流Ｉｕ４（例えば３ｍＡ）から消灯直前の状態（例えば、第４上限電流Ｉｕ４の３ｍＡに対して、１００分の１の０．０３ｍＡ）までの範囲（第４電流範囲Ａｒ４）では、第２点灯電流Ｉｄｃは、第４上限電流Ｉｕ４に対するパルス幅変調で制御される。
【００３９】
つまり、第２点灯電流Ｉｄｃの大きさによって、直流での制御と、ＰＷＭでの制御とが切り替えられている。相対的に大電流となる第３電流範囲Ａｒ３では直流電流によって第２点灯電流Ｉｄｃの電流値を制御する。また、相対的に小電流となる第４電流範囲Ａｒ４では、第４上限電流Ｉｕ４に対してＰＷＭを施すことによって第２点灯電流Ｉｄｃの電流値を制御する。
【００４０】
したがって、第４上限電流Ｉｕ４以下の電流に対する制御を更に高精度に高精細化することができ、またどのように小さい電流の場合でも、点灯状態では一定の第４上限電流Ｉｕ４が第２ＬＥＤ部５ｇに印加されることから安定した点灯状態を確保することができる。
【００４１】
第１点灯回路１０（図３参照）は、第１電流範囲Ａｒ１のとき第１電流範囲Ａｒ１の上限である第１上限電流（例えば、１００％点灯電流）による第１ＬＥＤ部３ｇの第１順方向電圧Ｖｆ１より高い第１点灯電圧Ｖｄ１に設定される第１定電圧回路１２と、第１電流範囲Ａｒ１を直流で制御する第１定電流回路１１と、第２電流範囲Ａｒ２をパルス幅変調で制御する第２定電流回路１３とを備える。
【００４２】
つまり、第１電流範囲Ａｒ１では、第１定電圧回路１２は第１点灯電圧Ｖｄ１に設定され、第１定電流回路１１が第１点灯電流Ｉｄｗを直流（定電流）で制御する。また、第２電流範囲Ａｒ２では、第１定電圧回路１２から第１ＬＥＤ部３ｇへ第１点灯電流Ｉｄｗ（直流の第２上限電流Ｉｕ２）が供給され、第２定電流回路１３が第１点灯電流ＩｄｗをＰＷＭで制御する。なお、第１定電流回路１１、第１定電圧回路１２、第２定電流回路１３の動作については、図３で詳細を説明する。
【００４３】
第１点灯回路１０において、第１電流範囲Ａｒ１の下限値（第１電流範囲Ａｒ１と第２電流範囲Ａｒ２の境界値）は、第２電流範囲Ａｒ２の上限値である第２上限電流Ｉｕ２とするか、あるいは第２上限電流Ｉｕ２を越える値で適宜設定すれば良い（図１Ｂ）。
【００４４】
第２点灯回路２０（図４参照）は、第３電流範囲Ａｒ３のとき第３電流範囲Ａｒ３の上限である第３上限電流（例えば、１００％点灯電流）による第２ＬＥＤ部５ｇの第３順方向電圧Ｖｆ３より高い第３点灯電圧Ｖｄ３に設定される第２定電圧回路２２と、第３電流範囲Ａｒ３を直流で制御する第３定電流回路２１と、第４電流範囲Ａｒ４をパルス幅変調で制御する第４定電流回路２３とを備える。
【００４５】
つまり、第３電流範囲Ａｒ３では、第２定電圧回路２２は第３点灯電圧Ｖｄ３に設定され、第３定電流回路２１が第２点灯電流Ｉｄｃを直流（定電流）で制御する。また、第４電流範囲Ａｒ４では、第２定電圧回路２２から第２ＬＥＤ部５ｇへ第２点灯電流Ｉｄｃ（直流の第４上限電流Ｉｕ４）が供給され、第４定電流回路２３が第２点灯電流ＩｄｃをＰＷＭで制御する。なお、第３定電流回路２１、第２定電圧回路２２、第４定電流回路２３の動作については、図４で詳細を説明する。
【００４６】
なお、第２点灯回路２０において、第３電流範囲Ａｒ３の下限値（第３電流範囲Ａｒ３と第４電流範囲Ａｒ４の境界値）は、第１点灯回路１０と同様に規定すれば良い（図１Ｂ）。
【００４７】
第１電流範囲Ａｒ１および第３電流範囲Ａｒ３、第２電流範囲Ａｒ２および第４電流範囲Ａｒ４は、第１点灯電流Ｉｄｗおよび第２点灯電流Ｉｄｃにおいて共通に定義することが好ましい。
【００４８】
照明装置１では、第１点灯電流Ｉｄｗの電流値および第２点灯電流Ｉｄｃの電流値は、制御対象である明るさ（調光段数ＬＣｍ（例えばｍ＝１〜１０の１０段）。図５参照）および相関色温度（調色段数ＤＣｎ（例えばｎ＝１〜１０の１０段）。図５参照）に対応させて予め規定されてあり、調光段数ＬＣｍおよび調色段数ＤＣｎに対応して規定され、特性一覧表（図５参照）としてデータ記憶部３１に予め登録されている。
【００４９】
なお、第１ＬＥＤ部３ｇおよび第２ＬＥＤ部５ｇの間での調色は、第１点灯電流Ｉｄｗおよび第２点灯電流Ｉｄｃの加重平均によって求められる。したがって、データ記憶部３１に記憶されている特性一覧表（図５）のデータは、調色（相関色温度）に応じた比率で第１点灯電流Ｉｄｗの電流値および第２点灯電流Ｉｄｃの電流値を予め規定している。
【００５０】
本実施の形態に係る照明装置１は、指定された明るさ（調光段数ＬＣｍ）に基づいて調光制御をするとき、または、指定された相関色温度（調色段数ＤＣｎ）に基づいて調色制御をするとき、ＬＥＤ（第１ＬＥＤ部３ｇおよび第２ＬＥＤ部５ｇ）に供給する電流値（第１点灯電流Ｉｄｗおよび第２点灯電流Ｉｄｃ）について、予め特定された第２上限電流Ｉｕ２（あるいは第４上限電流Ｉｕ４）を境界として第２上限電流Ｉｕ２（第４上限電流Ｉｕ４）より小さい電流（第２電流範囲Ａｒ２、第４電流範囲Ａｒ４）を供給するときは、第２上限電流Ｉｕ２（第４上限電流Ｉｕ４）（直流電流）にパルス幅変調を施して点灯電流（第１点灯電流Ｉｄｗ、第２点灯電流Ｉｄｃ）とし、第２上限電流Ｉｕ２（第４上限電流Ｉｕ４）を超える電流（第１電流範囲Ａｒ１、第３電流範囲Ａｒ３）を供給するときは直流電流を点灯電流（第１点灯電流Ｉｄｗ、第２点灯電流Ｉｄｃ）として供給することから、第２上限電流Ｉｕ２（第４上限電流Ｉｕ４）より小さい電流範囲での駆動においてもＬＥＤ（第１ＬＥＤ３、第２ＬＥＤ５）の発光特性（ばらつき）による影響を抑制して明るさおよび相関色温度を安定的に調整することが可能となり、広い範囲での調光制御および調色制御を高精細で高精度にかつ効果的に行うことができるので、深調光が可能となる。
【００５１】
第２上限電流Ｉｕ２、第４上限電流Ｉｕ４は、第１ＬＥＤ部３ｇ、第２ＬＥＤ部５ｇを構成する個々のＬＥＤが有する発光特性（素子特性：素子定数）のばらつきに対して予め特定（選定）される。例えば、同一の直流電流（順方向電流）を流したときに、直流電流が小さい低電流領域の範囲（第２上限電流Ｉｕ２、第４上限電流Ｉｕ４より小さい範囲）では、発光特性のばらつきが直接的に発光状態として顕在化することから、ＬＥＤの発光状態のばらつきが視認できる状態となり、不安定な発光状態となることが知見された。つまり、第２上限電流Ｉｕ２（第４上限電流Ｉｕ４）以下の電流を流す場合は、例えば同一の順方向電流を流した場合であっても、発光状態が大きく異なり安定した照明装置を実現することが困難である。
【００５２】
なお、第２上限電流Ｉｕ２、第４上限電流Ｉｕ４としては、定格電流（図５で、調光率（あるいはＰＯＷＥＲ）が例えば１００％の場合での電流）に対して例えば２％ないし５％程度の電流を指定することができる。この程度の電流値になると、ＬＥＤの発光状態（素子特性）のばらつきがそのまま発光状態のばらつきとして表れる場合がある。
【００５３】
本実施の形態では、第２上限電流Ｉｕ２、第４上限電流Ｉｕ４を例えば２％ないし５％の範囲内として特定し、指定された調光段数ＬＣｍにおける第１点灯電流Ｉｄｗの電流値あるいは第２点灯電流Ｉｄｃの電流値として第２上限電流Ｉｕ２（第４上限電流Ｉｕ４）より小さい電流を流す必要があるときは、第２上限電流Ｉｕ２（第４上限電流Ｉｕ４）に対してＰＷＭを施して第２上限電流Ｉｕ２（第４上限電流Ｉｕ４）より小さい電流値を実現する。したがって、ＬＥＤ（第１ＬＥＤ部３ｇ、第２ＬＥＤ部５ｇ）に対して供給される点灯電流（第１点灯電流Ｉｄｗ、第２点灯電流Ｉｄｃ）は、直流値のレベルを第２上限電流Ｉｕ２（第４上限電流Ｉｕ４）に固定した状態で第２上限電流Ｉｕ２（第４上限電流Ｉｕ４）より小さい電流として供給される。
【００５４】
つまり、どのように小さい第１点灯電流Ｉｄｗ（例えば、３ｍＡの第２上限電流Ｉｕ２に対して１００分の１の０．０３ｍＡ）、あるいは第２点灯電流Ｉｄｃ（例えば、３ｍＡの第４上限電流Ｉｕ４に対して１００分の１の０．０３ｍＡ）であっても、第２上限電流Ｉｕ２（３ｍＡ）、第４上限電流Ｉｕ４（３ｍＡ）に対するＰＷＭを施すことによって形成し、流される電流の直流レベル（ハイレベル（Ｈレベル））を第２上限電流Ｉｕ２、第４上限電流Ｉｕ４として確保し、安定した発光状態が可能な直流電流の下限値としての第２上限電流Ｉｕ２、第４上限電流Ｉｕ４を供給するので、第２上限電流Ｉｕ２、第４上限電流Ｉｕ４以下の低電流領域での点灯においても違和感の生じない安定した点灯状態を実現することができる。なお、第２上限電流Ｉｕ２、第４上限電流Ｉｕ４の作用、効果については、実施の形態２（図５以下）で更に説明する。
【００５５】
上記したとおり、第２上限電流Ｉｕ２、第４上限電流Ｉｕ４より小さい電流（第１点灯電流Ｉｄｗ、第２点灯電流Ｉｄｃ）は、第２上限電流Ｉｕ２、第４上限電流Ｉｕ４と等しい直流電流をパルス幅変調することによって形成される。したがって、第２上限電流Ｉｕ２、第４上限電流Ｉｕ４より小さい電流がＬＥＤに供給される場合、ＬＥＤがオン状態（ＰＷＭでのハイレベル（Ｈ）に相当する周期）では、第２上限電流Ｉｕ２、第４上限電流Ｉｕ４をそのまま確保していることから、ＬＥＤのばらつきによる影響を抑制することができ、ＬＥＤがオフ状態（ＰＷＭでのローレベル（Ｌ）に相当する周期）では、電流値は零であることから、ＬＥＤのばらつきによる影響は存在しない。したがって、第２上限電流Ｉｕ２、第４上限電流Ｉｕ４より小さい電流で駆動する場合でも、電流値の直流レベルでは消灯時（０ｍＡ）を除いて第２上限電流Ｉｕ２、第４上限電流Ｉｕ４より小さい電流が流れることは無いので、安定した点灯状態を確保することができる。
【００５６】
本実施の形態では、第２電流範囲Ａｒ２における第２上限電流Ｉｕ２、第４電流範囲Ａｒ４における第４上限電流Ｉｕ４は、第１ＬＥＤ３（第１ＬＥＤ部３ｇ）の発光特性および第２ＬＥＤ５（第２ＬＥＤ部５ｇ）の発光特性に基づいて予め特定されている。すなわち、照明装置１は、第１ＬＥＤ部３ｇおよび第２ＬＥＤ部５ｇの発光特性に基づいて第２上限電流Ｉｕ２、第４上限電流Ｉｕ４を特定し、第２電流範囲Ａｒ２、第４電流範囲Ａｒ４における第１ＬＥＤ部３ｇ、第２ＬＥＤ部５ｇの点灯では、第２上限電流Ｉｕ２、第４上限電流Ｉｕ４をＨレベルとする直流電流に対するＰＷＭを施した電流で第１ＬＥＤ部３ｇおよび第２ＬＥＤ部５ｇを点灯（制御）する。
【００５７】
したがって、第１ＬＥＤ部３ｇ（複数の第１ＬＥＤ３）および第２ＬＥＤ部５ｇ（複数の第２ＬＥＤ５）の発光特性が低電流領域（第２上限電流Ｉｕ２、第４上限電流Ｉｕ４より小さい電流領域）でばらついている場合でも、安定した高精度の明るさ制御（調光制御）および相関色温度制御（調色制御）を実現して幅広い安定した調光、調色を行うことができる。
【００５８】
明るさおよび相関色温度は、例えば、指定信号を送信する指定信号送信部としてのリモートコントローラ４０からの指定信号入力部３２に対する入力によって指定される。指定信号とは、明るさについては、調光段数ＬＣｍ（ｍ＝１〜１０）を指定する信号であり、相関色温度については、調色段数ＤＣｎ（ｎ＝１〜１０）を指定する信号である。
【００５９】
本実施の形態では、ｍ＝１（調光段数ＬＣ１）のとき、例えば１００％の点灯状態となり、ｍ＝１０（調光段数ＬＣ１０）のとき、例えば１０％の調光状態となる（図５参照）。また、ｎ＝１（調色段数ＤＣ１）のとき、合成した相関色温度ＣＣＴは、例えば第１相関色温度ＣＴ１（２７００Ｋ）に対する近似値であり、ｎ＝１０（調色段数ＤＣ１０）のとき、合成した相関色温度ＣＣＴは、例えば第２相関色温度ＣＴ２（６５００Ｋ）に対する近似値である（図５参照）。
【００６０】
なお、リモートコントローラ４０を介して指定信号を入力することを例示したが、直接指定信号入力部３２に入力される形態であっても良い。
【００６１】
リモートコントローラ４０から指定信号入力部３２に入力された指定信号は、転送先の指定信号判定部３３で判定され、調光段数ＬＣｍの段数（ｍの値）、調色段数ＤＣｎの段数（ｎの値）が判定（抽出）される。制御部３０は、指定信号判定部３３で判定された調光段数ＬＣｍおよび調色段数ＤＣｎに対応する第１点灯電流Ｉｄｗ、第２点灯電流Ｉｄｃをデータ記憶部３１から抽出し、抽出した第１点灯電流Ｉｄｗおよび第２点灯電流Ｉｄｃに基づいて第１点灯回路１０および第２点灯回路２０の動作を制御する。
【００６２】
データ記憶部３１は、制御対象としての明るさ（調光段数ＬＣｍ）および相関色温度（調色段数ＤＣｎ）に対応させて予め規定された第１点灯電流Ｉｄｗおよび第２点灯電流Ｉｄｃを特性一覧表（図５参照）として記憶している。つまり、データ記憶部３１は、指定信号（調光段数ＬＣｍ、調色段数ＤＣｎ）対電流データ（第１点灯電流Ｉｄｗの電流値、第２点灯電流Ｉｄｃの電流値）の関係を特性一覧表として保有している。
【００６３】
また、データ記憶部３１は、併せて第２上限電流Ｉｕ２および第４上限電流Ｉｕ４の値も記憶している。データ記憶部３１は、例えばフラッシュメモリで形成されている。また、電流値は、適宜の代替信号に置き換えて記憶されても良い。図５では、電流値をｍＡとして示すが、１００％点灯時の電流に対する比率（％）で示すことも可能である。
【００６４】
上記したとおり、照明装置１では、明るさ（調光段数ＬＣｍ）および相関色温度（調色段数ＤＣｎ）に対応させて予め規定されている第１点灯電流Ｉｄｗの電流値および第２点灯電流Ｉｄｃの電流値は、特性一覧表としてデータ記憶部３１に記憶されている。
【００６５】
したがって、照明装置１は、明るさおよび相関色温度に対応する第１点灯電流Ｉｄｗおよび第２点灯電流Ｉｄｃの値を特性一覧表（特性データ）としてデータ記憶部３１に記憶していることから、容易にかつ高精度に調光制御および調色制御を行うことができる。
【００６６】
また、例えばＣＰＵ（中央処理装置）で構成される制御部３０は、リモートコントローラ４０との連携を行う。また、制御部３０は、バス３０ｂを介して指定信号入力部３２、指定信号判定部３３、データ記憶部３１の動作を制御する。指定信号入力部３２、指定信号判定部３３、データ記憶部３１に求められる動作が予めプログラムとして書き込まれており、制御部３０は、書き込まれたプログラムに基づいて指定信号入力部３２、指定信号判定部３３、データ記憶部３１を制御する。
【００６７】
図２Ａおよび図２Ｂは、図１Ａに示した照明装置１における基本的な動作フローを示すフロー図である。
【００６８】
照明装置１は、指定信号（調光段数ＬＣｍ、調色段数ＤＣｎ）が入力されたとき、指定信号の内容を判定し、指定信号に応じた第１点灯電流Ｉｄｗ、第２点灯電流Ｉｄｃに対応する電流値データをデータ記憶部３１から読み出す（抽出する）。次いで、読み出した第１点灯電流Ｉｄｗ、第２点灯電流Ｉｄｃの電流値が第２上限電流Ｉｕ２、第４上限電流Ｉｕ４より大きいか否かを判断する。
【００６９】
つまり、第１点灯電流Ｉｄｗについては、電流範囲が第１電流範囲Ａｒ１、第２電流範囲Ａｒ２のいずれであるか、また、第２点灯電流Ｉｄｃについては、電流範囲が第３電流範囲Ａｒ３、第４電流範囲Ａｒ４のいずれであるかが判定される。
【００７０】
照明装置１（制御部３０）は、第１電流範囲Ａｒ１〜第２電流範囲Ａｒ４のいずれかに基づいて以下のステップ（ステップＳ２ないしステップＳ２４）で示す処理を実行し、第１ＬＥＤ部３ｇおよび第２ＬＥＤ部５ｇへ点灯電流（第１点灯電流Ｉｄｗ、第２点灯電流Ｉｄｃ）を供給することによって調光、調色を実行する。
【００７１】
ステップＳ２：
指定信号入力部３２は、リモートコントローラ４０からの指定信号（明るさについての調光段数ＬＣｍ、相関色温度についての調色段数ＤＣｎ）の入力状況に基づいて指定の有無を判定する。
【００７２】
指定（指定信号）が有る場合（ステップＳ２：ＹＥＳ）は、ステップＳ４へ移行する。指定が無い場合（ステップＳ２：ＮＯ）は、元へ戻る。
【００７３】
ステップＳ４：
指定信号判定部３３は、指定内容（指定段数、つまり、調光段数ＬＣｍ、調色段数ＤＣｎ）を判定する。すなわち、調光段数ＬＣｍでのｍの値、調色段数ＤＣｎでのｎの値を判定（抽出）する。調光段数ＬＣｍおよび調色段数ＤＣｎについての判定結果（ｍの値、ｎの値）は、制御部３０に伝達される。
【００７４】
ステップＳ６：
制御部３０は、ステップＳ４における判定結果に基づいて、指定信号対電流データに関する特性一覧表（データ記憶部３１）から、指定信号（調光段数ＬＣｍでのｍ、調色段数ＤＣｎでのｎ）に対応する第１点灯電流Ｉｄｗおよび第２点灯電流Ｉｄｃの電流値データを抽出する（図５参照）。
【００７５】
つまり、制御部３０は、調光段数ＬＣｍ、調色段数ＤＣｎに対応する第１点灯電流Ｉｄｗの電流値および第２点灯電流Ｉｄｃの電流値をデータ記憶部３１から読み出す。
【００７６】
第１点灯電流Ｉｄｗについては、ステップＳ８へ移行し、第２点灯電流Ｉｄｃについては、ステップＳ２０（図２Ｂ）へ移行する。なお、ステップＳ８以降の処理と、ステップＳ２０以降の処理は、それぞれ並行に処理され同時に第１点灯電流Ｉｄｗ、第２点灯電流Ｉｄｃを制御するように実行される。
【００７７】
ステップＳ８：
制御部３０は、抽出した第１点灯電流Ｉｄｗが第１電流範囲Ａｒ１の場合と第２電流範囲Ａｒ２の場合とに区分し、第１電流範囲Ａｒ１の場合は、ステップＳ１０へ移行し、第２電流範囲Ａｒ２の場合は、ステップＳ１２へ移行する。
【００７８】
ステップＳ１０：
制御部３０は、第１定電流回路１１へ第１参照電圧Ｖｒｅｆ１１（図３参照）を入力する。第１定電流回路１１は、第１参照電圧Ｖｒｅｆ１１に基づいて第１点灯電流Ｉｄｗを制御する。したがって、第１電流範囲Ａｒ１において第１点灯電流Ｉｄｗは、直流で電流値を制御され、指定された調光、調色に応じた電流制御が実行される。
【００７９】
なお、第１定電圧回路１２は、定電圧回路としての機能は生じないが第１電流範囲Ａｒ１の上限である第１上限電流（例えば、１００％点灯電流）による第１ＬＥＤ部３ｇの第１順方向電圧Ｖｆ１より高い第１点灯電圧Ｖｄ１に設定される。
【００８０】
また、第２定電流回路１３も定電流回路としての機能は停止される。第１定電流回路１１、第１定電圧回路１２、第２定電流回路１３の動作については、図３で詳細を説明する。
【００８１】
ステップＳ１２：
制御部３０は、第１定電圧回路１２へ第２参照電圧Ｖｒｅｆ１２を入力する。第１定電圧回路１２は、第２参照電圧Ｖｒｅｆ１２に基づいて第２点灯電圧Ｖｄ２で第１点灯電流Ｉｄｗを第１ＬＥＤ部３ｇへ供給する。
【００８２】
また、制御部３０は、第２定電流回路１３へ第３参照電圧Ｖｒｅｆ１３を入力する。第２定電流回路１３は、第３参照電圧Ｖｒｅｆ１３に基づく第２電流範囲Ａｒ２の上限である第２上限電流Ｉｕ２にＰＷＭを施して第１点灯電流Ｉｄｗを制御する。
【００８３】
したがって、第２電流範囲Ａｒ２において第１点灯電流Ｉｄｗは、第２上限電流Ｉｕ２に対するＰＷＭで電流値が高精細に高精度で制御され、指定された調光、調色に応じた電流制御が実行される。
【００８４】
ステップＳ２０：
制御部３０は、抽出した第２点灯電流Ｉｄｃが第３電流範囲Ａｒ３の場合と第４電流範囲Ａｒ４の場合とに区分し、第１電流範囲Ａｒ３の場合は、ステップＳ２２へ移行し、第２電流範囲Ａｒ４の場合は、ステップＳ２４へ移行する。
【００８５】
ステップＳ２２：
制御部３０は、第３定電流回路２１へ第４参照電圧Ｖｒｅｆ２１（図４参照）を入力する。第３定電流回路２１は、第４参照電圧Ｖｒｅｆ２１に基づいて第２点灯電流Ｉｄｃを制御する。したがって、第３電流範囲Ａｒ３において第２点灯電流Ｉｄｃは、直流で電流値を制御され、指定された調光、調色に応じた電流制御が実行される。
【００８６】
なお、第２定電圧回路２２は、定電圧回路としての機能は生じないが第３電流範囲Ａｒ３の上限である第３上限電流（例えば、１００％点灯電流）による第２ＬＥＤ部５ｇの第３順方向電圧Ｖｆ３より高い第３点灯電圧Ｖｄ３に設定される。
【００８７】
また、第４定電流回路２３も定電流回路としての機能は停止される。第３定電流回路２１、第２定電圧回路２２、第４定電流回路２３の動作については、図４で詳細を説明する。
【００８８】
ステップＳ２４：
制御部３０は、第２定電圧回路２２へ第５参照電圧Ｖｒｅｆ２２を入力する。第２定電圧回路２２は、第５参照電圧Ｖｒｅｆ２２に基づいて第４点灯電圧Ｖｄ４で第２点灯電流Ｉｄｃを第２ＬＥＤ部５ｇへ供給する。
【００８９】
また、制御部３０は、第４定電流回路２３へ第６参照電圧Ｖｒｅｆ２３を入力する。第４定電流回路２３は、第６参照電圧Ｖｒｅｆ２３に基づく第４電流範囲Ａｒ２の上限である第４上限電流Ｉｕ４にＰＷＭを施して第２点灯電流Ｉｄｃを制御する。
【００９０】
したがって、第４電流範囲Ａｒ４において第２点灯電流Ｉｄｃは、第４上限電流Ｉｕ４に対するＰＷＭで電流値が高精細に高精度で制御され、指定された調光、調色に応じた電流制御が実行される。
【００９１】
上記したとおり、ステップＳ１０、ステップＳ１２、ステップＳ２２、ステップＳ２４において、第１電流範囲Ａｒ１〜第２電流範囲Ａｒ４に応じた回路動作が選定されて実行される。したがって、照明装置１は、第１点灯電流Ｉｄｗ、第２点灯電流Ｉｄｃを高精度にかつ高精細に制御して正確な調光制御、調色制御を実行できる。
【００９２】
図３は、図１Ａに示した照明装置１における第１点灯回路１０の具体的な回路構成を示す回路図である。図３を参照して第１点灯回路１０の動作について説明する。
【００９３】
第１点灯回路１０は、第１定電流回路１１、第１定電圧回路１２、第２定電流回路１３を備える。第１点灯回路１０は、直流電源ＰＳに接続されたスイッチング電源７（高周波変圧器ＳＴ１の２次側）の出力線である電源線７ｐおよび基準線７ｇから電力の供給を受ける。
【００９４】
スイッチング電源７は、高周波変圧器ＳＴ１の１次側にスイッチング制御回路ＳＣ１を備え、スイッチング制御回路ＳＣ１は、高周波変圧器ＳＴ１の１次側巻線の電流経路に配置されたスイッチングトランジスタＱ１１をスイッチング制御することによって２次側の出力（電圧）の大きさを制御する。スイッチング制御回路ＳＣ１は、高周波変圧器ＳＴ１の出力である電源線７ｐと基準線７ｇの間に配置されたホトカプラー発光部ＰＣ１１（ＬＥＤ）からの信号によって駆動されるホトカプラー受光部ＰＣ１２（ホトトランジスタ）に基づいてスイッチングトランジスタＱ１１のオンオフ状態を制御し、高周波変圧器ＳＴ１の出力を制御する。
【００９５】
スイッチング制御回路ＳＣ１は、市販されているスイッチング電源用ＩＣ（例えばオンセミコンダクター（ＯＮ  Ｓｅｍｉｃｏｎｄｕｃｔｏｒ）社製のＮＣＰ１２００（型番））であり、一般的なスイッチング電源に用いられている。
【００９６】
高周波変圧器ＳＴ１の２次側には、電源線７ｐに挿入された整流ダイオードＤ１と、電源線７ｐおよび基準線７ｇの間に接続された電解コンデンサーＣ１とが配置され、直流に整流した電力を第１ＬＥＤ部３ｇおよび第１点灯回路１０（第１定電流回路１１、第１定電圧回路１２、第２定電流回路１３）へ供給する。
【００９７】
つまり、電源線７ｐと基準線７ｇとの間には、第１ＬＥＤ部３ｇ（第１ＬＥＤ３）が接続され、第１ＬＥＤ部３ｇに流れた第１点灯電流Ｉｄｗがそのまま流れる電流経路３ｃが形成されている。電流経路３ｃには、トランジスタＱ１３および電流検出抵抗Ｒ１１が直列に接続（配置）されている。トランジスタＱ１３は、第１点灯電流Ｉｄｗに対するＰＷＭを施し、電流検出抵抗Ｒ１１は、第１点灯電流Ｉｄｗの電流値を検出する。
【００９８】
第１点灯電流Ｉｄｗの第１電流範囲Ａｒ１における第１定電流回路１１の動作について説明する。
【００９９】
第１点灯電流Ｉｄｗの第１電流範囲Ａｒ１において、第１定電流回路１１は、第１定電流回路１１へ入力された第１参照電圧Ｖｒｅｆ１１に基づいて第１点灯電流Ｉｄｗを制御する。
【０１００】
なお、第１電流範囲Ａｒ１では、第１定電圧回路１２、第２定電流回路１３は動作しない状態に設定される。具体的には、第１定電圧回路１２は、第１電流範囲Ａｒ１の上限である第１上限電流（例えば、１００％点灯電流）による第１ＬＥＤ部３ｇの第１順方向電圧Ｖｆ１より高い第１点灯電圧Ｖｄ１に設定され、第１定電流回路１１が優先的に動作することから定電圧回路としての動作をしない状態とされる。
【０１０１】
また、第２定電流回路１３に対する第３参照電圧Ｖｒｅｆ１３は、第１定電流回路１１に対する第３参照電圧Ｖｒｅｆより高い電圧であるハイレベル（Ｈレベル）とされ、トランジスタＱ１３を完全なオン状態としている。
【０１０２】
第１定電流回路１１は、第１ＬＥＤ部３ｇに流れた電流がそのまま流れる電流経路３ｃに挿入されて第１点灯電流Ｉｄｗを検出する電流検出抵抗Ｒ１１と、反転入力端子に第１参照電圧Ｖｒｅｆ１１が入力される第１演算増幅器ＯＡ１１と、電源線７ｐと基準線７ｇの間に接続された駆動トランジスタＱ１２、ホトカプラー発光部ＰＣ１１、および抵抗Ｒ１２を有する直列回路とを備える。
【０１０３】
第１演算増幅器ＯＡ１１の出力端は、オア回路ＯＲ１の一方の入力端に接続されている。オア回路ＯＲ１は、他方の入力端に接続された第１定電圧回路１２の第２演算増幅器ＯＡ１２の出力端からの出力と第１演算増幅器ＯＡ１１の出力とのいずれか一つが有効となったときに駆動トランジスタＱ１２を動作させる。なお、第１定電流回路１１が定電流回路として動作するときは、第２演算増幅器ＯＡ１２からの信号に対して第１定電流回路１１（第１演算増幅器ＯＡ１１）からの信号が優先され、第１演算増幅器ＯＡ１１からの信号が駆動トランジスタＱ１２へ入力される。
【０１０４】
第１点灯電流Ｉｄｗは、電流検出抵抗Ｒ１１を流れ、電流検出抵抗Ｒ１１の両端の電圧として現れる。電流検出抵抗Ｒ１１の両端に現れた電圧は、第１演算増幅器ＯＡ１１の非反転入力端子へ入力され、第１演算増幅器ＯＡ１１の反転入力端子には第１参照電圧Ｖｒｅｆ１１が入力されている。したがって、次に説明するとおり、第１定電流回路１１は、電流検出抵抗Ｒ１１の両端の電圧が第１参照電圧Ｖｒｅｆ１１と一致するように第１点灯電流Ｉｄｗを制御する。
【０１０５】
第１点灯電流Ｉｄｗが増加して、電流検出抵抗Ｒ１１の両端電圧が第１参照電圧Ｖｒｅｆ１１の電圧を超える場合、第１定電流回路１１は次のように動作する。第１演算増幅器ＯＡ１１の出力がハイレベル（Ｈレベル）となり、駆動トランジスタＱ１２のベース電流が増加し、ホトカプラー発光部ＰＣ１１に流れる電流も増加する。→ホトカプラー発光部ＰＣ１１（内部ＬＥＤ）の発光量が増加し、ホトカプラー受光部ＰＣ１２（内部ホトトランジスタ）の電流が増加する。→ホトカプラー受光部ＰＣ１２の電流の増加を受けてスイッチング制御回路ＳＣ１は、制御端子電圧が低下しスイッチングトランジスタＱ１１に供給するパルス幅を短くする。→スイッチングトランジスタＱ１１のオン時間が短縮し、スイッチング電源７の出力電圧（電源線７ｐと基準線７ｇの間の電圧）が低下する。→第１点灯電流Ｉｄｗが減少する。つまり、第１点灯電流Ｉｄｗが増加した場合、第１定電流回路１１は、第１点灯電流Ｉｄｗを抑制して電流検出抵抗Ｒ１１の両端電圧を元に戻す方向に動作する。
【０１０６】
また、逆に第１点灯電流Ｉｄｗが減少して、電流検出抵抗Ｒ１１の両端電圧が第１参照電圧Ｖｒｅｆ１１の電圧より低くなる場合、第１定電流回路１１は次のように動作する。第１演算増幅器ＯＡ１１の出力がローレベル（Ｌレベル）となり、駆動トランジスタＱ１２のベース電流が減少し、ホトカプラー発光部ＰＣ１１に流れる電流が減少する。ホトカプラー発光部ＰＣ１１（内部ＬＥＤ）の発光量が減少し、ホトカプラー受光部ＰＣ１２（内部ホトトランジスタ）の電流が減少する。→ホトカプラー受光部ＰＣ１２の電流の減少を受けてスイッチング制御回路ＳＣ１は、制御端子電圧が上昇しスイッチングトランジスタＱ１１に供給するパルス幅を長くする。→スイッチングトランジスタＱ１１のオン時間が増加し、スイッチング電源７の出力電圧（電源線７ｐと基準線７ｇの間の電圧）が増加する。→第１点灯電流Ｉｄｗが増加する。つまり、第１点灯電流Ｉｄｗが減少した場合、第１定電流回路１１は、第１点灯電流Ｉｄｗを増加して電流検出抵抗Ｒ１１の両端電圧を元に戻す方向に動作する。
【０１０７】
したがって、第１点灯電流Ｉｄｗは、第１参照電圧Ｖｒｅｆ１１によって制御されることから、第１電流範囲Ａｒ１においては、第１参照電圧Ｖｒｅｆ１１を変更することによって第１点灯電流Ｉｄｗを制御することができる。
【０１０８】
なお、第１点灯電流Ｉｄｗの第１電流範囲Ａｒ１における第１定電圧回路１２は、定電圧回路としては動作しない電圧に設定されている。
【０１０９】
第１電流範囲Ａｒ１において、第１定電圧回路１２は、第１電流範囲Ａｒ１の上限である第１上限電流による第１ＬＥＤ部３ｇの電圧降下である第１順方向電圧Ｖｆ１より高い第１点灯電圧Ｖｄ１に設定されている。なお、第１上限電流は、例えば１００％点灯のときに流れる電流である。
【０１１０】
したがって、第１点灯電流Ｉｄｗを第１ＬＥＤ部３ｇへ供給することができる。また、第１点灯電圧Ｖｄ１を第１点灯電流Ｉｄｗに応じて変動させることから、トランジスタＱ１３における消費電力を抑制することが可能となる。
【０１１１】
第２電流範囲Ａｒ２における第１定電圧回路１２、第２定電流回路１３の動作について説明する。
【０１１２】
第２電流範囲Ａｒ２において、第１定電圧回路１２は、第１定電圧回路１２へ入力された第２参照電圧Ｖｒｅｆ１２に基づく第２点灯電圧Ｖｄ２で第１ＬＥＤ部３ｇへ第１点灯電流Ｉｄｗを供給し、第２定電流回路１３は、第２定電流回路１３へ入力された第３参照電圧Ｖｒｅｆ１３に基づく第２電流範囲Ａｒ２の第２上限電流Ｉｕ２にパルス幅変調を施して第１点灯電流Ｉｄｗを制御する。
【０１１３】
なお、第２電流範囲Ａｒ２では、第１定電流回路１１は動作しない状態に設定される。具体的には、第１定電流回路１１に対する第１参照電圧Ｖｒｅｆ１１は、第２定電流回路１３に対する第３参照電圧Ｖｒｅｆ１３より高い電圧であるハイレベル（Ｈレベル）とされて第１演算増幅器ＯＡ１１は機能しない状態とされる。
【０１１４】
第１定電圧回路１２は、電源線７ｐと基準線７ｇの間に接続された分圧抵抗Ｒ１３および分圧抵抗Ｒ１４の直列回路と、非反転入力端子および反転入力端子を有する第２演算増幅器ＯＡ１２と、オア回路ＯＲ１と、電源線７ｐと基準線７ｇの間に接続された駆動トランジスタＱ１２、ホトカプラー発光部ＰＣ１１、および抵抗Ｒ１２を有する直列回路とを備える。第２演算増幅器ＯＡ１２の非反転入力端子には、分圧抵抗Ｒ１３および分圧抵抗Ｒ１４で分圧された電圧が入力され、反転入力端子には、第２参照電圧Ｖｒｅｆ１２が入力される。
【０１１５】
また、駆動トランジスタＱ１２、ホトカプラー発光部ＰＣ１１、および抵抗Ｒ１２を有する直列回路と、ホトカプラー受光部ＰＣ１２と、スイッチング制御回路ＳＣ１と、スイッチングトランジスタＱ１１と、高周波変圧器ＳＴ１とは、第１定電流回路１１が動作する場合と共通の構成であることから、上記したとおりに動作する。
【０１１６】
つまり、第１定電圧回路１２の出力電圧として電源線７ｐおよび基準線７ｇの間に現れる第２点灯電圧Ｖｄ２は、第２参照電圧Ｖｒｅｆ１２によって制御され、第２参照電圧Ｖｒｅｆ１２＝（直列に接続された分圧抵抗Ｒ１３および分圧抵抗Ｒ１４の中間に現れる分圧電圧）となるように制御される。つまり、第１定電圧回路１２は、第１定電圧回路１２へ入力された第２参照電圧Ｖｒｅｆ１２に基づく第２点灯電圧Ｖｄ２に設定される。
【０１１７】
なお、第２電流範囲Ａｒ２での第１点灯電流Ｉｄｗは、第２定電流回路１３の動作によって、第２上限電流Ｉｕ２に設定され、例えば３ｍＡの直流電流に固定される。第２上限電流Ｉｕ２以下の電流を第１点灯電流Ｉｄｗとして供給する場合は、第２定電流回路１３にＰＷＭを施すことによって第２上限電流Ｉｕ２を確保した状態で第１点灯電流Ｉｄｗを第２上限電流Ｉｕ２以下の電流に制御する。
【０１１８】
第２定電流回路１３は、電流経路３ｃに配置されたトランジスタＱ１３と、トランジスタＱ１３と直列に接続された電流検出抵抗Ｒ１１と、非反転入力端子および反転入力端子を有する第３演算増幅器ＯＡ１３とを備える。トランジスタＱ１３は、第１ＬＥＤ部３ｇへ接続され、電流検出抵抗Ｒ１１の一端は、基準線７ｇに接続されている。
【０１１９】
第３演算増幅器ＯＡ１３の非反転入力端子には、第３参照電圧Ｖｒｅｆ１３が入力され、第３演算増幅器ＯＡ１３の非反転入力端子と反転入力端子との間に電流検出抵抗Ｒ１１の両端が接続されている。したがって、第３参照電圧Ｖｒｅｆ１３＝電流検出抵抗Ｒ１１の両端に現れる電圧（＝第１点灯電流Ｉｄｗ×電流検出抵抗Ｒ１１）となるように第１点灯電流Ｉｄｗが制御され、第１点灯電流Ｉｄｗとして定電流化された直流の第２上限電流Ｉｕ２が第１ＬＥＤ部３ｇ（電流経路３ｃ）へ供給される。
【０１２０】
第１点灯電流Ｉｄｗ（第２上限電流Ｉｕ２）に対してＰＷＭを施すため、第２定電流回路１３に対してパルストランジスタＱ１４が接続されている。パルストランジスタＱ１４は、第３演算増幅器ＯＡ１３の非反転入力端子（第３参照電圧Ｖｒｅｆ１３）と基準線７ｇとの間に接続され、入力された変調パルスＰｍ１に従って第３参照電圧Ｖｒｅｆ１３をオンオフ制御する。
【０１２１】
つまり、第３参照電圧Ｖｒｅｆ１３に対するオンオフ制御（変調パルスＰｍ１）によって第２上限電流Ｉｕ２を確保した状態で第１点灯電流Ｉｄｗ（第２上限電流Ｉｕ２）に対するデューティ比が制御され、第２上限電流Ｉｕ２以下の電流が第１点灯電流Ｉｄｗとして第１ＬＥＤ部３ｇに供給される。
【０１２２】
なお、パルス幅変調のための変調パルスＰｍ１の周波数はちらつきとして認識されにくい周波数（例えば１ｋＨｚ）に設定されることが好ましい。
【０１２３】
また、第２電流範囲Ａｒ２において、第１定電圧回路１２は、第２点灯電圧Ｖｄ２が第２上限電流Ｉｕ２による第１ＬＥＤ部３ｇでの第２順方向電圧Ｖｆ２より高く、第１順方向電圧Ｖｆ１より低い電圧とされている。
【０１２４】
上記したとおり、本実施の形態に係る照明装置１は、第１相関色温度ＣＴ１で発光する第１ＬＥＤ３を有する第１ＬＥＤ部３ｇと、第１電流範囲Ａｒ１および第１電流範囲Ａｒ１より低い側の第２電流範囲Ａｒ２を有する第１点灯電流Ｉｄｗで第１ＬＥＤ部３ｇを点灯する第１点灯回路１０とを備える。
【０１２５】
また、照明装置１では、第１点灯回路１０は、第１電流範囲Ａｒ１のとき第１電流範囲Ａｒ１の上限である第１上限電流（例えば、１００％点灯電流）による第１ＬＥＤ部３ｇの第１順方向電圧Ｖｆ１より高い第１点灯電圧Ｖｄ１に設定される第１定電圧回路１２と、第１電流範囲Ａｒ１を直流で制御する第１定電流回路１１と、第２電流範囲Ａｒ２をパルス幅変調で制御する第２定電流回路１３とを備える。
【０１２６】
更に、第１電流範囲Ａｒ１において、第１定電流回路１１は、第１定電流回路１１へ入力された第１参照電圧Ｖｒｅｆ１１に基づいて第１点灯電流Ｉｄｗを制御し、第２電流範囲Ａｒ２において、第１定電圧回路１２は、第１定電圧回路１２へ入力された第２参照電圧Ｖｒｅｆ１２に基づく第２点灯電圧Ｖｄ２で第１ＬＥＤ部３ｇへ第１点灯電流Ｉｄｗを供給し、第２定電流回路１３は、第２定電流回路１３へ入力された第３参照電圧Ｖｒｅｆ１３に基づく第２電流範囲Ａｒ２の上限である第２上限電流Ｉｕ２にパルス幅変調を施して第１点灯電流Ｉｄｗを制御する構成とされている。
【０１２７】
したがって、本実施の形態に係る照明装置１は、広い範囲での調光制御と調色制御を高精細で高精度に実行することができる。また、照明装置１は、第１点灯電流Ｉｄｗの内で高い側である第１電流範囲Ａｒ１については、第１点灯電流Ｉｄｗを第１定電流回路１１によって直流で制御し、第１点灯電流Ｉｄｗの内で低い側である第２電流範囲Ａｒ２については、第２点灯電圧Ｖｄ２を出力する第１定電圧回路１２から供給される第１点灯電流Ｉｄｗを第２定電流回路１３によって第２電流範囲Ａｒ２の上限である第２上限電流Ｉｕ２にパルス幅変調を施して制御することから、第２電流範囲Ａｒ２での第２定電流回路１３における消費電力を低減し、第１ＬＥＤ部３ｇでの消費電力に対する第２定電流回路１３での消費電力の割合を抑制して消費電力効率を向上させることができる。
【０１２８】
図４は、図１Ａに示した照明装置１における第２点灯回路２０の具体的な回路構成を示す回路図である。図４を参照して第２点灯回路２０の動作について説明する。
【０１２９】
第２点灯回路２０の回路構成は、第１点灯回路１０と同様であり、同様に動作する。説明の都合上異なる符号を付して説明する。なお、第１点灯回路１０では、点灯対象としてのＬＥＤが第１ＬＥＤ部３ｇであったのに対して、第２点灯回路２０では、点灯対象としてのＬＥＤが第２ＬＥＤ部５ｇ（第２ＬＥＤ５）となっている点が異なる。つまり、第１点灯回路１０では第１点灯電流Ｉｄｗが制御対象であるのに対し、第２点灯回路２０では、第２点灯電流Ｉｄｃが制御対象である。
【０１３０】
直流電源ＰＳは、第１点灯回路１０および第２点灯回路２０の双方に接続されている。また、各回路部品の動作は、図３で説明したとおりであるので、主に第１点灯回路１０に対する対応関係を示して説明を適宜省略する。
【０１３１】
第２点灯回路２０は、スイッチング電源８、第３定電流回路２１、第２定電圧回路２２、第４定電流回路２３を備える。スイッチング電源８はスイッチング電源７に、第３定電流回路２１は第１定電流回路１１に、第２定電圧回路２２は第１定電圧回路１２に、第４定電流回路２３は第２定電流回路１３にそれぞれ対応する。第２点灯回路２０は、直流電源ＰＳに接続されたスイッチング電源８（高周波変圧器ＳＴ２の２次側）の出力線である電源線８ｐおよび基準線８ｇから電力の供給を受ける。
【０１３２】
スイッチング電源８は、高周波変圧器ＳＴ２と、スイッチング制御回路ＳＣ２と、スイッチングトランジスタＱ２１と、ホトカプラー発光部ＰＣ２１（ＬＥＤ）と、ホトカプラー受光部ＰＣ２２（ホトトランジスタ）と、整流ダイオードＤ２と、電解コンデンサーＣ２とを備える。したがって、スイッチング電源８は、スイッチング電源７と同様に動作する。
【０１３３】
第２点灯電流Ｉｄｃの第３電流範囲Ａｒ３における第３定電流回路２１の動作について説明する。
【０１３４】
第２点灯電流Ｉｄｃの第３電流範囲Ａｒ３において、第３定電流回路２１は、第３定電流回路２１へ入力された第４参照電圧Ｖｒｅｆ２１に基づいて第２点灯電流Ｉｄｃを制御する。なお、第３電流範囲Ａｒ３では、第２定電圧回路２２、第４定電流回路２３は動作しない状態に設定される。
【０１３５】
第３定電流回路２１は、電流検出抵抗Ｒ２１と、第４参照電圧Ｖｒｅｆ２１が反転入力端子に入力される第４演算増幅器ＯＡ２１と、駆動トランジスタＱ２２と、ホトカプラー発光部ＰＣ２１と、抵抗Ｒ２２と、オア回路ＯＲ２とを備える。
【０１３６】
電流検出抵抗Ｒ２１は電流検出抵抗Ｒ１１に、第４参照電圧Ｖｒｅｆ２１は第１参照電圧Ｖｒｅｆ１１に、第４演算増幅器ＯＡ２１は第１演算増幅器ＯＡ１１に、駆動トランジスタＱ２２は駆動トランジスタＱ１２に、ホトカプラー発光部ＰＣ２１はホトカプラー発光部ＰＣ１１に、抵抗Ｒ２２は抵抗Ｒ１２に、オア回路ＯＲ２はオア回路ＯＲ１にそれぞれ対応する。
【０１３７】
したがって、第３定電流回路２１は、第１定電流回路１１と同様に動作する。つまり、第３定電流回路２１は、電流検出抵抗Ｒ２１の両端の電圧が第４参照電圧Ｖｒｅｆ２１と一致するように第２点灯電流Ｉｄｃを制御する。
【０１３８】
なお、第２点灯電流Ｉｄｃの第３電流範囲Ａｒ３における第２定電圧回路２２は、定電圧回路としては動作しない電圧に設定されている。
【０１３９】
第３電流範囲Ａｒ３において、第２定電圧回路２２は、第３電流範囲Ａｒ１の上限である第３上限電流による第２ＬＥＤ部５ｇの電圧降下である第３順方向電圧Ｖｆ３より高い第３点灯電圧Ｖｄ３に設定されている。なお、第３上限電流は、例えば１００％点灯のときに流れる電流である。
【０１４０】
したがって、第２点灯電流Ｉｄｃを第２ＬＥＤ部５ｇへ供給することができる。また、第３点灯電圧Ｖｄ３を第２点灯電流Ｉｄｃに応じて変動させることから、トランジスタＱ２３における消費電力を抑制することが可能となる。
【０１４１】
第４電流範囲Ａｒ４における第２定電圧回路２２、第４定電流回路２３の動作について説明する。
【０１４２】
第２定電圧回路２２は、分圧抵抗Ｒ２３と、分圧抵抗Ｒ２４と、反転入力端子に第５参照電圧Ｖｒｅｆ２２が入力される第５演算増幅器ＯＡ２２と、オア回路ＯＲ２と、駆動トランジスタＱ２２と、ホトカプラー発光部ＰＣ２１、抵抗Ｒ２２とを備える。
【０１４３】
分圧抵抗Ｒ２３は分圧抵抗Ｒ１３に、分圧抵抗Ｒ２４は分圧抵抗Ｒ１４に、第５参照電圧Ｖｒｅｆ２２は第２参照電圧Ｖｒｅｆ１２に、第５演算増幅器ＯＡ２２は第２演算増幅器ＯＡ１２に、オア回路ＯＲ２はオア回路ＯＲ１に、駆動トランジスタＱ２２は駆動トランジスタＱ１２に、ホトカプラー発光部ＰＣ２１はホトカプラー発光部ＰＣ１１に、抵抗Ｒ２２は抵抗Ｒ１２にそれぞれ対応する。
【０１４４】
したがって、第２定電圧回路２２は、第１定電圧回路１２と同様に動作する。つまり、第２定電圧回路２２は、第２定電圧回路２２へ入力された第５参照電圧Ｖｒｅｆ２２に基づく第４点灯電圧Ｖｄ４で第２ＬＥＤ部５ｇへ第２点灯電流Ｉｄｃ（第２電流範囲Ａｒ２）を供給する。
【０１４５】
なお、第４電流範囲Ａｒ４での第２点灯電流Ｉｄｃは、第４定電流回路２３の動作によって、第４上限電流Ｉｕ４に設定され、例えば３ｍＡの直流電流に固定される。第４上限電流Ｉｕ４以下の電流を第２点灯電流Ｉｄｃとして供給する場合は、第４定電流回路２３にＰＷＭを施すことによって第４上限電流Ｉｕ４を確保した状態で第２点灯電流Ｉｄｃを第４上限電流Ｉｕ４以下の電流に制御する。
【０１４６】
第４定電流回路２３は、電流経路５ｃに接続されたトランジスタＱ２３と、電流検出抵抗Ｒ２１と、非反転入力端子に第６参照電圧Ｖｒｅｆ２３が入力される第６演算増幅器ＯＡ２３とを備える。
【０１４７】
トランジスタＱ２３はトランジスタＱ１３に、電流検出抵抗Ｒ２１は電流検出抵抗Ｒ１１に、第６参照電圧Ｖｒｅｆ２３は第３参照電圧Ｖｒｅｆ１３に、第６演算増幅器ＯＡ２３は第３演算増幅器ＯＡ１３にそれぞれ対応する。
【０１４８】
したがって、第４定電流回路２３は、第２定電流回路１３と同様に動作する。
【０１４９】
第２点灯電流Ｉｄｃ（第４上限電流Ｉｕ４）に対してＰＷＭを施すため、第４定電流回路２３に対してパルストランジスタＱ２４が接続されている。パルストランジスタＱ２４は、第６演算増幅器ＯＡ２３の非反転入力端子（第６参照電圧Ｖｒｅｆ２３）と基準線８ｇとの間に接続され、入力された変調パルスＰｍ２に従って第６参照電圧Ｖｒｅｆ２３をオンオフ制御する。
【０１５０】
つまり、第６参照電圧Ｖｒｅｆ２３に対するオンオフ制御（変調パルスＰｍ２）によって第４上限電流Ｉｕ４を確保した状態で第２点灯電流Ｉｄｃ（第４上限電流Ｉｕ４）に対するデューティ比が制御され、第４上限電流Ｉｕ４以下の電流が第２点灯電流Ｉｄｃとして第２ＬＥＤ部５ｇに供給される。
【０１５１】
なお、パルス幅変調のための変調パルスＰｍ１の周波数はちらつきとして認識されにくい周波数（例えば１ｋＨｚ）に設定されることが好ましい。
【０１５２】
また、第４電流範囲Ａｒ４において、第２定電圧回路２２は、第４点灯電圧Ｖｄ４が第４上限電流Ｉｕ４による第２ＬＥＤ部５ｇでの第４順方向電圧Ｖｆ４より高く、第３順方向電圧Ｖｆ３より低い電圧とされている。
【０１５３】
上記したとおり、本実施の形態に係る照明装置１は、第２相関色温度ＣＴ２で発光する第２ＬＥＤ５を有する第２ＬＥＤ部５ｇと、第３電流範囲Ａｒ１および第３電流範囲Ａｒ１より低い側の第４電流範囲Ａｒ２を有する第２点灯電流Ｉｄｃで第２ＬＥＤ部５ｇを点灯する第２点灯回路２０とを備える。
【０１５４】
また、照明装置１では、第２点灯回路２０は、第３電流範囲Ａｒ３のとき第３電流範囲Ａｒ３の上限である第３上限電流（例えば、１００％点灯電流）による第２ＬＥＤ部５ｇの第３順方向電圧Ｖｆ３より高い第３点灯電圧Ｖｄ３に設定される第２定電圧回路２２と、第３電流範囲Ａｒ３を直流で制御する第３定電流回路と、第４電流範囲Ａｒ４をパルス幅変調で制御する第４定電流回路とを備える。
【０１５５】
更に、第３電流範囲Ａｒ３において、第３定電流回路２１は、第３定電流回路２１へ入力された第４参照電圧Ｖｒｅｆ２１に基づいて第２点灯電流Ｉｄｃを制御し、第４電流範囲Ａｒ４において、第２定電圧回路２２は、第２定電圧回路２２へ入力された第５参照電圧Ｖｒｅｆ２２に基づく第４点灯電圧Ｖｄ４で第２ＬＥＤ部５ｇへ第２点灯電流Ｉｄｃを供給し、第４定電流回路２３は、第４定電流回路２３へ入力された第６参照電圧Ｖｒｅｆ２３に基づく第４電流範囲Ａｒ４の上限である第４上限電流Ｉｕ４にパルス幅変調を施して第２点灯電流Ｉｄｃを制御する構成とされている。
【０１５６】
したがって、本実施の形態に係る照明装置１は、広い範囲での調光制御と調色制御を高精細で高精度に実行することができる。また、照明装置１は、第２点灯回路２０が第１定電圧回路１２と同様に動作する第２定電圧回路２２と、第１定電流回路１１と同様に動作する第３定電流回路２１と、第２定電流回路１３と同様に動作する第４定電流回路２３とを備えることから、第２点灯回路２０を第１点灯回路１０と同様に機能させるので、第４電流範囲Ａｒ４での第４定電流回路２３における消費電力を低減し、第２ＬＥＤ部５ｇでの消費電力に対する第４定電流回路２３での消費電力の割合を抑制して消費電力効率を向上させることができる。
【０１５７】
また、照明装置１では、第１定電圧回路１２は、第１電流範囲Ａｒ１において、第１ＬＥＤ部３ｇでの１００％点灯による電圧降下である第１順方向電圧Ｖｆ１より高い第１点灯電圧Ｖｄ１に設定され、第２電流範囲Ａｒ２において、第２点灯電圧Ｖｄ２が第１ＬＥＤ部３ｇでの第２上限電流Ｉｕ２による電圧降下である第２順方向電圧Ｖｆ２より高く、第１順方向電圧Ｖｆ１より低くなる構成とされている。
【０１５８】
また、第２定電圧回路２２は、第３電流範囲Ａｒ３において、第２ＬＥＤ部５ｇでの１００％点灯による電圧降下である第３順方向電圧Ｖｆ３より高い第３点灯電圧Ｖｄ３に設定され、第４電流範囲Ａｒ４において、第４点灯電圧Ｖｄ４が第２ＬＥＤ部５ｇでの第４上限電流Ｉｕ４による電圧降下である第４順方向電圧Ｖｆ４より高く、第３順方向電圧Ｖｆ３より低くなる構成とされている。
【０１５９】
したがって、本実施の形態に係る照明装置１は、第１定電圧回路１２および第２定電圧回路２２の出力電圧（または設定電圧：第１点灯電圧Ｖｄ１、第２点灯電圧Ｖｄ２、第３点灯電圧Ｖｄ３、第４点灯電圧Ｖｄ４）を第１電流範囲Ａｒ１、第３電流範囲Ａｒ３に対応する高い状態（第１点灯電圧Ｖｄ１、第３点灯電圧Ｖｄ３）と、第２電流範囲Ａｒ２、第４電流範囲Ａｒ４に対応する低い状態（第２点灯電圧Ｖｄ２、第４点灯電圧Ｖｄ４）とに確実に切り替えることから、第２電流範囲Ａｒ２における第１点灯回路１０（第２定電流回路１３）での消費電力および第４電流範囲Ａｒ４における第２点灯回路２０（第４定電流回路２３）での消費電力を容易に抑制することができる。
【０１６０】
具体的な消費電力の抑制の対象としては、トランジスタＱ１３、トランジスタＱ２３がある。つまり、第１電流範囲Ａｒ１の状態で動作を停止している第２定電流回路１３、第３電流範囲Ａｒ３の状態で動作を停止している第４定電流回路２３に配置されながら、電流経路３ｃ、あるいは電流経路５ｃに直列に配置されていることから第２定電流回路１３、第４定電流回路２３の停止状態とは無関係にオン状態を確保して点灯電流（第１点灯電流Ｉｄｗ、第２点灯電流Ｉｄｃ）を流す必要があるトランジスタＱ１３、トランジスタＱ２３における電力消費を抑制することができる。
【０１６１】
なお、本実施の形態に係る照明装置１は、第１ＬＥＤ部３ｇ、第２ＬＥＤ部５ｇを除外した状態では、ＬＥＤ点灯装置として把握することができる。つまり、以下の構成を有するＬＥＤ点灯装置とすることができ、照明装置１と同様な作用効果を得ることができる。
【０１６２】
第１相関色温度ＣＴ１で発光する第１ＬＥＤ３を有する第１ＬＥＤ部３ｇに第１電流範囲Ａｒ１および第１電流範囲Ａｒ１より低い側の第２電流範囲Ａｒ２を有する第１点灯電流Ｉｄｗを供給して第１ＬＥＤ部３ｇを点灯する第１点灯回路１０を備えるＬＥＤ点灯装置であって、第１点灯回路１０は、第１電流範囲Ａｒ１のとき第１電流範囲Ａｒ１の上限である第１上限電流による第１ＬＥＤ部３ｇの第１順方向電圧Ｖｆ１より高い第１点灯電圧Ｖｄ１に設定される第１定電圧回路１２と、第１電流範囲Ａｒ１を直流で制御する第１定電流回路１１と、第２電流範囲Ａｒ２をパルス幅変調で制御する第２定電流回路１３とを備える。
【０１６３】
また、前記ＬＥＤ点灯装置では、第１電流範囲Ａｒ１において、第１定電流回路１１は、第１定電流回路１１へ入力された第１参照電圧Ｖｒｅｆ１１に基づいて第１点灯電流Ｉｄｗを制御し、第２電流範囲Ａｒ２において、第１定電圧回路１２は、第１定電圧回路１２へ入力された第２参照電圧Ｖｒｅｆ１２に基づく第２点灯電圧Ｖｄ２で第１ＬＥＤ部３ｇへ第１点灯電流Ｉｄｗを供給し、第２定電流回路１３は、第２定電流回路１３へ入力された第３参照電圧Ｖｒｅｆ１３に基づく第２電流範囲Ａｒ２の第２上限電流Ｉｕ２にパルス幅変調を施して第１点灯電流Ｉｄｗを制御する構成とされている。
【０１６４】
また、第２相関色温度ＣＴ２で発光する第２ＬＥＤ５を有する第２ＬＥＤ部５ｇに第３電流範囲Ａｒ３および第４電流範囲Ａｒ４を有する第２点灯電流Ｉｄｃを供給して第２ＬＥＤ部５ｇを点灯する第２点灯回路２０を備えるＬＥＤ点灯装置であって、第２点灯回路２０は、第３電流範囲Ａｒ３のとき第３電流範囲Ａｒ３の上限である第３上限電流（例えば、１００％点灯電流）による第２ＬＥＤ部５ｇの第３順方向電圧Ｖｆ３より高い第３点灯電圧Ｖｄ３に設定される第２定電圧回路２２と、第３電流範囲Ａｒ３を直流で制御する第３定電流回路２１と、第４電流範囲Ａｒ４をパルス幅変調で制御する第４定電流回路２３とを備える。
【０１６５】
また、前記ＬＥＤ点灯装置では、第３電流範囲Ａｒ３において、第３定電流回路２１は、第３定電流回路２１へ入力された第４参照電圧Ｖｒｅｆ２１に基づいて第２点灯電流Ｉｄｃを制御し、第４電流範囲Ａｒ４において、第２定電圧回路２２は、第２定電圧回路２２へ入力された第５参照電圧Ｖｒｅｆ２２に基づく第４点灯電圧Ｖｄ４で第２ＬＥＤ部５ｇへ第２点灯電流Ｉｄｃを供給し、第４定電流回路２３は、第４定電流回路２３へ入力された第６参照電圧Ｖｒｅｆ２３に基づく第２電流範囲Ａｒ２の上限である第４上限電流Ｉｕ４にパルス幅変調を施して第２点灯電流Ｉｄｃを制御する構成とされている。
【０１６６】
＜実施の形態２＞
図５、図６Ａないし図６Ｆ、図７、図８Ａないし図８Ｆを参照して、本実施の形態に係る照明装置１の調光制御、調色制御による調光状態、調色状態、および作用効果について説明する。なお、本実施の形態に係る照明装置１は、実施の形態１に係る照明装置１であるので、適宜符号を援用し、主に追加の説明について記載する。
【０１６７】
また、上記したとおり、第１ＬＥＤ部３ｇが発光する相関色温度（第１相関色温度ＣＴ１）は、２７００Ｋ（ケルビン）であり、第２ＬＥＤ部５ｇが発光する相関色温度（第２相関色温度ＣＴ２）は、６５００Ｋ（ケルビン）である。なお、第２上限電流Ｉｕ２、第４上限電流Ｉｕ４は、第１ＬＥＤ部３ｇ、第２ＬＥＤ部５ｇとも例えば３ｍＡ（３％）の場合について例示する。
【０１６８】
また、第１ＬＥＤ部３ｇ（第１ＬＥＤ３）および第２ＬＥＤ部５ｇ（第２ＬＥＤ５）では、ＬＥＤの個数および発光効率が等しいとし、混光後の相関色温度ＣＣＴは、加重平均となることとして演算した。また、説明を簡単にするため、第１点灯電流Ｉｄｗ、第２点灯電流Ｉｄｃの定格最大値（１００％値）を１００ｍＡとしている。
【０１６９】
図５は、本発明の実施の形態２に係る照明装置１での調光段数ＬＣｍ、調色段数ＤＣｎ、第１点灯電流Ｉｄｗ、第２点灯電流Ｉｄｃ、調色相関色温度ＣＣＴの相関を示す図表である。
【０１７０】
図表の縦方向に、調光段数ＬＣｍ（調光段数ＬＣ１〜調光段数ＬＣ１０の１０段）、横方向に、調色段数ＤＣｎ（調色段数ＤＣ１〜調色段数ＤＣ１０の１０段）を示し、調光段数ＬＣｍおよび調色段数ＤＣｎに対応させて第１点灯電流Ｉｄｗ、第２点灯電流Ｉｄｃを規定している。
【０１７１】
本実施の形態では、調光段数ＬＣｍは、１００％から１０％（なお、０％は、非点灯であるので表への記載はしていない。）までが例えば１０％単位でリニアに制御されている。また、調色段数ＤＣｎは、調色段数ＤＣ１の第１相関色温度ＣＴ１（２７００Ｋ）の近似値から調色段数ＤＣ１０の第２相関色温度ＣＴ２（６５００Ｋ）の近似値までをリニアに制御している。
【０１７２】
なお、調光制御における電流の最小値は、調色段数ＤＣ１（調光段数ＬＣ１〜調光段数ＬＣ１０）での第２点灯電流Ｉｄｃ（第２点灯電流Ｉｄｃｕ）＝０．０３ｍＡ、調色段数ＤＣ１０（調光段数ＬＣ１〜調光段数ＬＣ１０）での第１点灯電流Ｉｄｗ（第１点灯電流Ｉｄｗｕ）＝０．０３ｍＡである。つまり、第１ＬＥＤ部３ｇまたは第２ＬＥＤ部５ｇは、それぞれが第２上限電流Ｉｕ２（３ｍＡ）あるいは第４上限電流Ｉｕ４（３ｍＡ）に対して更にＰＷＭのデューティ比を０．０１（１％）として電流値を制御され、高精細な調光を高精度で実現している。
【０１７３】
なお、上記したとおり、２色の混色では無く、それぞれを単独で相関色温度を固定した調光状態の照明装置１として機能させることも可能である。
【０１７４】
調光段数ＬＣｍでは、調光率（％）つまり明るさが制御される。調光段数ＬＣ１の調光率は１００％（最大定格の明るさ）、以下、１０％ごとで減光させて、調光段数ＬＣ１０の調光率は１０％（最大定格の明るさの１０％）となる。なお、供給電力ＰＯＷＥＲ（任意単位）は、調光率に一致させてある。
【０１７５】
また、調色段数ＤＣｎでは、調色相関色温度ＣＣＴ（Ｋ）、つまり、相関色温度が制御される。
【０１７６】
調色段数ＤＣ１の調色相関色温度ＣＣＴは、第１ＬＥＤ部３ｇの点灯状態（第１点灯電流Ｉｄｗ＝９９．９７ｍＡ〜９．９７ｍＡ）に対して第２ＬＥＤ部５ｇの点灯状態を０．０３ｍＡとして微小電流状態としていることから、調色相関色温度ＣＣＴは第１相関色温度ＣＴ１（２７００Ｋ）の近似値として２７０１Ｋ〜２７１１Ｋが得られる。
【０１７７】
調色段数ＤＣ１の第２点灯電流Ｉｄｃｕでは、第４上限電流Ｉｕ４を大きく下回った電流（第４上限電流Ｉｕ４＝３ｍＡに対して１／１００の０．０３ｍＡ）で制御しているが、直流電流である第４上限電流Ｉｕ４に対するＰＷＭを施していることから、安定した制御、点灯が可能となっている。
【０１７８】
調色段数ＤＣ１０の調色相関色温度ＣＣＴは、第２ＬＥＤ部５ｇの点灯状態（第２点灯電流Ｉｄｃ＝９９．９７ｍＡ〜９．９７ｍＡ）に対して第１ＬＥＤ部３ｇの点灯状態を０．０３ｍＡとして微小電流状態としていることから、調色相関色温度ＣＣＴは第２相関色温度ＣＴ２（６５００Ｋ）の近似値として６４９９Ｋ〜６４８９Ｋが得られる。
【０１７９】
調色段数ＤＣ１０の第１点灯電流Ｉｄｗｕでは、第２上限電流Ｉｕ２を大きく下回った電流（第２上限電流Ｉｕ２＝３ｍＡに対して１／１００の０．０３ｍＡ）で制御しているが、直流電流である第２上限電流Ｉｕ２に対するＰＷＭを施していることから、安定した制御、点灯が可能となっている。
【０１８０】
調色段数ＤＣｎと調色相関色温度ＣＣＴとの関係を更に説明する。
【０１８１】
例えば、調色段数ＤＣ２の調色相関色温度ＣＣＴは、調光段数ＬＣ１で３１２３Ｋ、・・・、調光段数ＬＣ５で３１２４Ｋ、・・・、調光段数ＬＣ９で３１２７Ｋ、調光段数ＬＣ１０で３１３１Ｋである。つまり、調光段数ＬＣ１〜調光段数ＬＣ１０の間において、調色相関色温度ＣＣＴは、３１２３Ｋから３１３１Ｋまでと変化するが、変化率を求めると、（３１３１−３１２３）／３１３１＝０．００２６（０．２６％）とほとんど変化しない。したがって、安定した調色、調光が可能となっている。
【０１８２】
調色段数ＤＣ２において、調光段数ＬＣ９では、第２点灯電流Ｉｄｃｕ＝２．２４６ｍＡ、調光段数ＬＣ１０では、第２点灯電流Ｉｄｃｕ＝１．１３ｍＡの電流を制御することが必要である。また、調色段数ＤＣ３において、調光段数ＬＣ１０では、第２点灯電流Ｉｄｃｕ＝２．２４ｍＡの電流を制御することが必要である。
【０１８３】
これらの場合についても第２点灯電流Ｉｄｃに対するＰＷＭ制御が適用される。第２点灯電流Ｉｄｃｕ＝１．１３ｍＡでは、ＰＷＭのデューティ比は３８％、第２点灯電流Ｉｄｃｕ＝２．２４６ｍＡ、第２点灯電流Ｉｄｃｕ＝０．２４ｍＡでは、ＰＷＭのデューティ比は７５％として高精度に制御することができる。
【０１８４】
調色段数ＤＣｎでの調色相関色温度ＣＣＴ（混色相関色温度）は、第１点灯電流Ｉｄｗおよび第２点灯電流Ｉｄｃの加重平均で求められる。例えば、調光段数ＬＣ２、調色段数ＤＣ２では、第１点灯電流Ｉｄｗ＝７９．９８ｍＡ、第２点灯電流Ｉｄｃ＝１０．０２ｍＡとされている。したがって、調色相関色温度ＣＣＴは、（２７００×７９．９８＋６５００×１０．０２）／（７９．９８＋１０．０２）＝（２８１０７６）／９０＝３１２３Ｋとなる。つまり、調色相関色温度ＣＣＴは、第１点灯電流Ｉｄｗと第２点灯電流Ｉｄｃとの比率の制御によって制御されている。
【０１８５】
なお、データ記憶部３１は、調光段数ＬＣｍ、調色段数ＤＣｎに対応させて第１点灯電流Ｉｄｗ（電流値）、第２点灯電流Ｉｄｃ（電流値）を記憶している。したがって、調光段数ＬＣｍおよび調色段数ＤＣｎが指定されたとき、制御部３０は、データ記憶部３１から対応する第１点灯電流Ｉｄｗおよび第２点灯電流Ｉｄｃを読み出して第１点灯回路１０および第２点灯回路２０を制御する。
【０１８６】
本実施の形態では、例えば、調光段数ＬＣ１０、調色段数ＤＣ２に対応する調光、調色が指定された場合、第１点灯電流Ｉｄｗ＝８．８７ｍＡ、第２点灯電流Ｉｄｃ＝１．１３ｍＡが予め規定されている。第２点灯電流Ｉｄｃ（第２点灯電流Ｉｄｃｕ）＝１．１３ｍＡは、第４上限電流Ｉｕ４（３ｍＡ）より小さい。したがって、第２点灯電流Ｉｄｃｕ＝１．１３ｍＡを直流電流として第２ＬＥＤ部５ｇに供給すると発光状態が正常に制御できない状態となる。具体的には、調色相関色温度ＣＣＴが調色段数ＤＣ２での値３１３１Ｋに対して大きく変化するという現象が知見された。
【０１８７】
本実施の形態では、第２点灯電流Ｉｄｃｕ（１．１３ｍＡ）は、第４上限電流Ｉｕ４（３ｍＡ）に対するＰＷＭを施すことによって供給される。具体的には、（１．１３ｍＡ／３ｍＡ）×１００（％）＝３７．６％（３８％）のデューティ比を採用し、直流電流３ｍＡに対して３８％のＰＷＭを施した第２点灯電流Ｉｄｃｕを第２ＬＥＤ部５ｇに供給する。
【０１８８】
調色段数ＤＣ９において、調光段数ＬＣ９では、第１点灯電流Ｉｄｗｕ＝２．２５ｍＡ、調光段数ＬＣ１０では、第１点灯電流Ｉｄｗｕ＝１．１３ｍＡの電流を制御することが必要である。
【０１８９】
これらの場合についても第２点灯電流Ｉｄｃと同様、第１点灯電流Ｉｄｗに対するＰＷＭ制御が適用されるので説明は省略する。
【０１９０】
なお、第１点灯電流Ｉｄｗ、第２点灯電流Ｉｄｃは、次に示すとおり、調色段数ＤＣｎ、調光段数ＬＣｍの双方向において、例えばリニアに変更されている。
【０１９１】
図表の横方向（調色段数ＤＣｎ）において、第１点灯電流Ｉｄｗは、調色段数ＤＣ１から調色段数ＤＣ１０の間で９等分される。具体的には、次に示す調光段数ＬＣ２での値に典型的に表れている。
【０１９２】
調光段数ＬＣ２において、第１点灯電流Ｉｄｗは、調色段数ＤＣ１では８９．９７ｍＡ、調色段数ＤＣ２では７９．９８ｍＡ、・・・、調色段数ＤＣ４では５９．９９ｍＡ、・・・、調色段数ＤＣ９では１０．０２ｍＡ、調色段数ＤＣ１０では０．０３ｍＡがそれぞれ規定されている。
【０１９３】
また、第２点灯電流Ｉｄｃは、第１点灯電流Ｉｄｗと同様に９等分されるが、増減の推移状況は逆になる。つまり、第２点灯電流Ｉｄｃは、調色段数ＤＣ１では０．０３ｍＡ、調色段数ＤＣ２では１０．０２ｍＡ、・・・、調色段数ＤＣ４では３０．０１ｍＡ、・・・、調色段数ＤＣ９では７９．９８ｍＡ、調色段数ＤＣ１０では８９．９７ｍＡがそれぞれ規定されている。
【０１９４】
また、図表の縦方向（調光段数ＬＣｍ）においても、第１点灯電流Ｉｄｗ、第２点灯電流Ｉｄｃの規定の仕方は、同様であるので説明は省略する。
【０１９５】
図６Ａは、図５に示した第１点灯電流Ｉｄｗおよび第２点灯電流Ｉｄｃによって調光制御および調色制御を施したときの調色段数ＤＣ１での調光率（調光段数ＬＣｍ）対調色相関色温度ＣＣＴの状態を示すグラフである。
【０１９６】
調光制御における電流の最小値が０．０３ｍＡであることから、調色段数ＤＣ１では、第２ＬＥＤ部５ｇに第２点灯電流Ｉｄｃｕ＝０．０３ｍＡが一定値として調光率に無関係に供給された状態である。したがって、調色相関色温度ＣＣＴは、調光段数ＬＣｍの全範囲（調光率１００％ないし調光率１０％）において第１相関色温度ＣＴ１（２７００Ｋ）の近似値（第１相関色温度ＣＴ１＝２７００Ｋに対して２７０１Ｋ〜２７１１Ｋ）が実現され、低い変化率（１０／２７１１＝０．００３６（０．４％））が確保されている。
【０１９７】
図６Ｂは、図５に示した第１点灯電流Ｉｄｗおよび第２点灯電流Ｉｄｃによって調光制御および調色制御を施したときの調色段数ＤＣ２での調光率（調光段数ＬＣｍ）対調色相関色温度ＣＣＴの状態を示すグラフである。
【０１９８】
調色段数ＤＣ２では、第１相関色温度ＣＴ１、第２相関色温度ＣＴ２に対する第１点灯電流Ｉｄｗおよび第２点灯電流Ｉｄｃの加重平均によって求められた調色相関色温度ＣＣＴは、３１２３Ｋ〜３１３１Ｋとなる。
【０１９９】
調色段数ＤＣ２においては、調光率２０％のとき、第２ＬＥＤ部５ｇに供給される第２点灯電流Ｉｄｃ（２．２４６ｍＡ）は、第４上限電流Ｉｕ４（３ｍＡ）より小さい。また、調光率１０％のとき、第２ＬＥＤ部５ｇに供給される第２点灯電流Ｉｄｃ（１．１３ｍＡ）は、第４上限電流Ｉｕ４（３ｍＡ）より小さい。しかし、第４上限電流Ｉｕ４にＰＷＭを施して第２点灯電流Ｉｄｃｕ（２．２４６ｍＡ、１．１３ｍＡ）を第２ＬＥＤ部５ｇに供給していることから、調光段数ＬＣｍの全範囲（調光率１００％ないし調光率１０％）において調色相関色温度ＣＣＴ＝３１２３Ｋ〜３１３１Ｋが実現され、低い変化率（８／３１３１＝０．００２６（０．３％））が確保されている。
【０２００】
図６Ｃは、図５に示した第１点灯電流Ｉｄｗおよび第２点灯電流Ｉｄｃによって調光制御および調色制御を施したときの調色段数ＤＣ３での調光率（調光段数ＬＣｍ）対調色相関色温度ＣＣＴの状態を示すグラフである。
【０２０１】
調色段数ＤＣ３では、第１相関色温度ＣＴ１、第２相関色温度ＣＴ２に対する第１点灯電流Ｉｄｗおよび第２点灯電流Ｉｄｃの加重平均によって求められた調色相関色温度ＣＣＴは、３５４５Ｋ〜３５５１Ｋとなる。
【０２０２】
調色段数ＤＣ３においては、調光率１０％のとき、第１ＬＥＤ部３ｇに供給される第１点灯電流Ｉｄｗは、７．７６ｍＡであり、第２ＬＥＤ部５ｇに供給される第２点灯電流Ｉｄｃは、２．２４ｍＡである。第２点灯電流Ｉｄｃに対してＰＷＭが施されている。したがって、調色相関色温度ＣＣＴは、調光段数ＬＣｍの全範囲（調光率１００％ないし調光率１０％）において調色相関色温度ＣＣＴ＝３５４５Ｋ〜３５５１Ｋが実現され、低い変化率（６／３５５１＝０．００１７（０．２％））が確保されている。
【０２０３】
図６Ｄは、図５に示した第１点灯電流Ｉｄｗおよび第２点灯電流Ｉｄｃによって調光制御および調色制御を施したときの調色段数ＤＣ４での調光率（調光段数ＬＣｍ）対調色相関色温度ＣＣＴの状態を示すグラフである。
【０２０４】
調色段数ＤＣ４では、第１相関色温度ＣＴ１、第２相関色温度ＣＴ２に対する第１点灯電流Ｉｄｗおよび第２点灯電流Ｉｄｃの加重平均によって求められた調色相関色温度ＣＣＴは、３９６７Ｋ〜３９７０Ｋとなる。
【０２０５】
調色段数ＤＣ４においては、調光率１０％のとき、第１ＬＥＤ部３ｇに供給される第１点灯電流Ｉｄｗは、６．６６ｍＡであり、第２ＬＥＤ部５ｇに供給される第２点灯電流Ｉｄｃは、３．３４ｍＡである。つまり、第１点灯電流Ｉｄｗおよび第２点灯電流Ｉｄｃのいずれも直流電流である。したがって、調色相関色温度ＣＣＴは、調光段数ＬＣｍの全範囲（調光率１００％ないし調光率１０％）において調色相関色温度ＣＣＴ＝３９６７Ｋ〜３９７０Ｋが実現され、低い変化率（３／３９７０＝０．０００７６（０．０８％））が確保されている。
【０２０６】
図６Ｅは、図５に示した第１点灯電流Ｉｄｗおよび第２点灯電流Ｉｄｃによって調光制御および調色制御を施したときの調色段数ＤＣ９での調光率（調光段数ＬＣｍ）対調色相関色温度ＣＣＴの状態を示すグラフである。
【０２０７】
調色段数ＤＣ９では、第１相関色温度ＣＴ１、第２相関色温度ＣＴ２に対する第１点灯電流Ｉｄｗおよび第２点灯電流Ｉｄｃの加重平均によって求められた調色相関色温度ＣＣＴは、６０７７Ｋ〜６０６９Ｋとなる。
【０２０８】
調色段数ＤＣ９においては、調光率２０％のとき、第１ＬＥＤ部３ｇに供給される第１点灯電流Ｉｄｗ（２．２５ｍＡ）は、第２上限電流Ｉｕ２（３ｍＡ）より小さい。また、調光率１０％のとき、第１ＬＥＤ部３ｇに供給される第１点灯電流Ｉｄｗ（１．１３ｍＡ）は、第２上限電流Ｉｕ２（３ｍＡ）より小さい。しかし、第２上限電流Ｉｕ２にＰＷＭを施して第１点灯電流Ｉｄｗｕ（２．２５ｍＡ、１．１３ｍＡ）を第１ＬＥＤ部３ｇに供給していることから、調光段数ＬＣｍの全範囲（調光率１００％ないし調光率１０％）において調色相関色温度ＣＣＴ＝６０７７Ｋ〜６０６９Ｋが実現され、低い変化率（８／６０７７＝０．００１３（０．１％））が確保されている。
【０２０９】
図６Ｆは、図５に示した第１点灯電流Ｉｄｗおよび第２点灯電流Ｉｄｃによって調光制御および調色制御を施したときの調色段数ＤＣ１０での調光率（調光段数ＬＣｍ）対調色相関色温度ＣＣＴの状態を示すグラフである。
【０２１０】
調光制御における電流の最小値が０．０３ｍＡであることから、調色段数ＤＣ１０では、第１ＬＥＤ部３ｇに第１点灯電流Ｉｄｗｕ＝０．０３ｍＡが一定値として調光率に無関係に供給された状態である。したがって、調色相関色温度ＣＣＴは、調光段数ＬＣｍの全範囲（調光率１００％ないし調光率１０％）において第２相関色温度ＣＴ２（６５００Ｋ）の近似値（第１相関色温度ＣＴ２＝６５００Ｋに対して６４９９Ｋ〜６４８９Ｋ）が実現され、低い変化率（１０／６４９９＝０．００１５（０．１５％））が確保されている。
【０２１１】
以上、図５、および図６Ａないし図６Ｆに示したとおり、本実施の形態に係る照明装置１では、指定された明るさ（調光段数ＬＣｍ）に基づいて調光制御をするとき、または、指定された相関色温度（調色段数ＤＣｎ）に基づいて調色制御をするとき、ＬＥＤ（第１ＬＥＤ部３ｇおよび第２ＬＥＤ部５ｇ）に供給する電流値（第１点灯電流Ｉｄｗ、第２点灯電流Ｉｄｃ）について、大電流の側である第１電流範囲Ａｒ１、第３電流範囲Ａｒ３と、第１電流範囲Ａｒ１、第３電流範囲Ａｒ３より低い側の小電流である第２電流範囲Ａｒ２、第４電流範囲Ａｒ４とを区分し、第２電流範囲Ａｒ２、第４電流範囲Ａｒ４の上限値である第２上限電流Ｉｕ２、第４上限電流Ｉｕ４を境界として第２上限電流Ｉｕ２、第４上限電流Ｉｕ４より小さい電流を供給するときは、第２上限電流Ｉｕ２、第４上限電流Ｉｕ４の電流値に設定した直流電流にパルス幅変調（ＰＷＭ）を施して点灯電流（第１点灯電流Ｉｄｗ、第２点灯電流Ｉｄｃ）とし、第２上限電流Ｉｕ２、第４上限電流Ｉｕ４を超える電流を供給するときは電流値そのままの直流電流を供給することから、第２上限電流Ｉｕ２、第４上限電流Ｉｕ４より小さい電流範囲での点灯においてもＬＥＤの発光特性（ばらつき）による影響を抑制して明るさおよび相関色温度を安定的に調整することが可能となり、広い範囲での調光制御および調色制御を高精細で高精度にかつ効率的に行うことができる。つまり、本実施の形態に係る照明装置１によれば、明るさを制御した場合でも、相関色温度の変化を抑制するので、深調光が可能となる。
【０２１２】
次に比較例を図７、図８Ａないし図８Ｆに示す。本発明の実施の形態１に係る照明装置１に対して調光制御の最小値を例えば３％として設定した場合について、比較例として説明する。
【０２１３】
図７は、比較例として本発明の実施の形態１に係る照明装置１に対して調光制御の最小値を設定した場合における調光段数ＬＣｍ、調色段数ＤＣｎ、第１点灯電流Ｉｄｗ、第２点灯電流Ｉｄｃ、調色相関色温度ＣＣＴの相関を示す図表である。
【０２１４】
基本的な構成は、図５、図６Ａ〜図６Ｆで示したとおりであるので、主に異なる事項について説明する。
【０２１５】
図７では、調光制御の最小値は３ｍＡ（３％）とされ、第１ＬＥＤ部３ｇまたは第２ＬＥＤ部５ｇのいずれか小さい状態とされたＬＥＤが調色制御、調光制御の場合に最小値としての３ｍＡを確保して点灯される制御形態とされている。
【０２１６】
例えば、調色段数ＤＣ１において、図５に示した場合は、調光段数ＬＣ１では、第１点灯電流Ｉｄｗ＝９９．９７ｍＡで、第２点灯電流Ｉｄｃ＝０．０３ｍＡであった。これに対し、比較例（図７）では、調色段数ＤＣ１において、調光段数ＬＣ１では、第１点灯電流Ｉｄｗ＝９７ｍＡ、第２点灯電流Ｉｄｃ＝３ｍＡ（調光制御の最小値）を維持している。
【０２１７】
したがって、調光制御、調色制御において、調光制御の最小値３％（３ｍＡ）による影響が生じる。具体的には、調色段数ＤＣ１において、調光段数ＬＣ１から調光段数ＬＣ１０までの第１点灯電流Ｉｄｗ、第２点灯電流Ｉｄｃ、調色相関色温度ＣＣＴの変化は、次のようになり、調色相関色温度ＣＣＴを安定させることが困難となる。
【０２１８】
調色段数ＤＣ１において、調光段数ＬＣ１では、第１点灯電流Ｉｄｗ＝９７ｍＡ、第２点灯電流Ｉｄｃ＝３ｍＡ（調光制御の最小値）であり、図５と同様の加重平均によって、調色相関色温度ＣＣＴ＝２８１４Ｋとなる。調光段数ＬＣ２では、第１点灯電流Ｉｄｗ＝８７ｍＡ、第２点灯電流Ｉｄｃ＝３ｍＡであり、調色相関色温度ＣＣＴ＝２８２７Ｋとなる。調光段数ＬＣ３では、第１点灯電流Ｉｄｗ＝７７ｍＡ、第２点灯電流Ｉｄｃ＝３ｍＡであり、調色相関色温度ＣＣＴ＝２８４３Ｋとなる。・・・。調光段数ＬＣ１０では、第１点灯電流Ｉｄｗ＝７ｍＡ、第２点灯電流Ｉｄｃ＝３ｍＡであり、調色相関色温度ＣＣＴ＝３８４０Ｋとなる。
【０２１９】
つまり、調色段数ＤＣ１では、第２点灯電流Ｉｄｃ＝３ｍＡで固定することから、第１点灯電流Ｉｄｗが９７ｍＡ（調光段数ＬＣ１）から低減され第１点灯電流Ｉｄｗ＝７ｍＡ（調光段数ＬＣ１０）まで減少すると、第１ＬＥＤ部３ｇに対して第２ＬＥＤ部５ｇの点灯状態が無視できない状態となり、調色相関色温度ＣＣＴは、第２相関色温度ＣＴ２の側へ寄ることとなる。
【０２２０】
調色段数ＤＣ４において、調光段数ＬＣ１では、第１点灯電流Ｉｄｗ＝６５．６７ｍＡ、第２点灯電流Ｉｄｃ＝３４．３３ｍＡであり、調色相関色温度ＣＣＴ＝４００５Ｋとなる。・・・。調光段数ＬＣ１０では、第１点灯電流Ｉｄｗ＝５．６７ｍＡ、第２点灯電流Ｉｄｃ＝４．３３ｍＡであり、調色相関色温度ＣＣＴ＝４３４７Ｋとなる。
【０２２１】
つまり、調色段数ＤＣ４では、調光段数ＬＣ１の場合の調色相関色温度ＣＣＴが４００５Ｋに対して調光段数ＬＣ１０の場合の調色相関色温度ＣＣＴが４３４７Ｋとなり、調色相関色温度ＣＣＴを一定に確保することができない。３％として設定した調光制御の最小値による影響は、調光段数ＬＣｍ（調光率）が小さくなるほど大きくなり、調色相関色温度ＣＣＴは、第２相関色温度ＣＴ２の側へ偏ることとなる。
【０２２２】
調色段数ＤＣ１０において、調光段数ＬＣ１では、第１点灯電流Ｉｄｗ＝３ｍＡ（調光制御の最小値）、第２点灯電流Ｉｄｃ＝９７ｍＡであり、図５と同様の加重平均によって、調色相関色温度ＣＣＴ＝６３８６Ｋとなる。調光段数ＬＣ２では、第１点灯電流Ｉｄｗ＝３ｍＡ、第２点灯電流Ｉｄｃ＝８７ｍＡであり、調色相関色温度ＣＣＴ＝６３７３Ｋとなる。調光段数ＬＣ３では、第１点灯電流Ｉｄｗ＝３ｍＡ、第２点灯電流Ｉｄｃ＝７７ｍＡであり、調色相関色温度ＣＣＴ＝６３５８Ｋとなる。・・・。調光段数ＬＣ１０では、第１点灯電流Ｉｄｗ＝３ｍＡ、第２点灯電流Ｉｄｃ＝７ｍＡであり、調色相関色温度ＣＣＴ＝５３６０Ｋとなる。
【０２２３】
つまり、調色段数ＤＣ１０では、第１点灯電流Ｉｄｗ＝３ｍＡで固定することから、第２点灯電流Ｉｄｃが９７ｍＡ（調光段数ＬＣ１）から低減され第２点灯電流Ｉｄｃ＝７ｍＡ（調光段数ＬＣ１０）まで減少すると、第２ＬＥＤ部５ｇに対して第１ＬＥＤ部３ｇの点灯状態が無視できない状態となり、調色相関色温度ＣＣＴは、第１相関色温度ＣＴ１の側へ偏ることとなる。
【０２２４】
調色段数ＤＣ９において、調光段数ＬＣ１では、第１点灯電流Ｉｄｗ＝１３．４４ｍＡ、第２点灯電流Ｉｄｃ＝８６．５６ｍＡであり、調色相関色温度ＣＣＴ＝５９８９Ｋとなる。・・・。調光段数ＬＣ１０では、第１点灯電流Ｉｄｗ＝３．４４ｍＡ、第２点灯電流Ｉｄｃ＝６．５６ｍＡであり、調色相関色温度ＣＣＴ＝５１９１Ｋとなる。
【０２２５】
つまり、調色段数ＤＣ９では、調光段数ＬＣ１の場合の調色相関色温度ＣＣＴが５９８９Ｋに対して調光段数ＬＣ１０の場合の調色相関色温度ＣＣＴが５１９１Ｋとなり、調色相関色温度ＣＣＴを一定に確保することができない。３％として設定した調光制御の最小値による影響は、調光段数ＬＣｍ（調光率）が小さくなるほど大きくなり、調色相関色温度ＣＣＴは、第１相関色温度ＣＴ１の側へ偏ることとなる。
【０２２６】
図８Ａは、図７に示した第１点灯電流Ｉｄｗおよび第２点灯電流Ｉｄｃによって調光制御および調色制御を施したときの調色段数ＤＣ１での調光率（調光段数ＬＣｍ）対調色相関色温度ＣＣＴの状態を示すグラフである。
【０２２７】
上記したとおり、常時３％という最小値で点灯される第２ＬＥＤ部５ｇによる影響を受け、調光率が１００％から１０％に低減されるに従って調色相関色温度ＣＣＴは、第２相関色温度ＣＴ２の側へ２８１４Ｋから３８４０Ｋまでと偏り、安定した調色相関色温度ＣＣＴを確保することができない。
【０２２８】
図８Ｂは、図７に示した第１点灯電流Ｉｄｗおよび第２点灯電流Ｉｄｃによって調光制御および調色制御を施したときの調色段数ＤＣ２での調光率（調光段数ＬＣｍ）対調色相関色温度ＣＣＴの状態を示すグラフである。
【０２２９】
図８Ａの場合と同様に第２ＬＥＤ部５ｇによる影響があるが、調色相関色温度ＣＣＴの変化の範囲は３２１１Ｋから４００９Ｋまでと小さくなる。
【０２３０】
図８Ｃは、図７に示した第１点灯電流Ｉｄｗおよび第２点灯電流Ｉｄｃによって調光制御および調色制御を施したときの調色段数ＤＣ３での調光率（調光段数ＬＣｍ）対調色相関色温度ＣＣＴの状態を示すグラフである。
【０２３１】
図８Ｂの場合と同様に、第２ＬＥＤ部５ｇによる影響があるが、調色相関色温度ＣＣＴの変化の範囲は３６０８Ｋから４１７８Ｋまでと小さくなる。
【０２３２】
図８Ｄは、図７に示した第１点灯電流Ｉｄｗおよび第２点灯電流Ｉｄｃによって調光制御および調色制御を施したときの調色段数ＤＣ４での調光率（調光段数ＬＣｍ）対調色相関色温度ＣＣＴの状態を示すグラフである。
【０２３３】
図８Ｃの場合と同様に、第２ＬＥＤ部５ｇによる影響があるが、調色相関色温度ＣＣＴの変化の範囲は４００５Ｋから４３４７Ｋまでと改善されている。
【０２３４】
図８Ｅは、図７に示した第１点灯電流Ｉｄｗおよび第２点灯電流Ｉｄｃによって調光制御および調色制御を施したときの調色段数ＤＣ９での調光率（調光段数ＬＣｍ）対調色相関色温度ＣＣＴの状態を示すグラフである。
【０２３５】
図８Ａ〜図８Ｄの場合とは逆に、第１ＬＥＤ部３ｇによる影響があり、調色相関色温度ＣＣＴの変化の範囲は５９８９Ｋから５１９１Ｋまでと第１相関色温度ＣＴ１の側へ偏り、安定した調色相関色温度ＣＣＴを確保することができない。
【０２３６】
図８Ｆは、図７に示した第１点灯電流Ｉｄｗおよび第２点灯電流Ｉｄｃによって調光制御および調色制御を施したときの調色段数ＤＣ１０での調光率（調光段数ＬＣｍ）対調色相関色温度ＣＣＴの状態を示すグラフである。
【０２３７】
上記したとおり、常時３％という最小値で点灯される第１ＬＥＤ部３ｇによる影響を受け、調光率が１００％から１０％に低減されるに従って調色相関色温度ＣＣＴは、第１相関色温度ＣＴ１の側へ６３８６Ｋから５３６０Ｋまでと偏り、安定した調色相関色温度ＣＣＴを確保することができない。
【０２３８】
上記したとおり、第１相関色温度ＣＴ１の側での調色（調色段数ＤＣ１〜調色段数ＤＣ５）では、常時３％という最小値を確保して点灯される第２ＬＥＤ部５ｇによる影響を受け、調光率が１００％から１０％に低減されるに従って調色相関色温度ＣＣＴは、第２相関色温度ＣＴ２の側へ偏り、安定した一定の調色相関色温度ＣＣＴを確保することができない。
【０２３９】
他方、第２相関色温度ＣＴ２の側での調色（調色段数ＤＣ６〜調色段数ＤＣ１０）では、常時３％という最小値を確保して点灯される第１ＬＥＤ部３ｇによる影響を受け、調光率が１００％から１０％に低減されるに従って調色相関色温度ＣＣＴは、第１相関色温度ＣＴ１の側へ偏り、安定した一定の調色相関色温度ＣＣＴを確保することができない。
【０２４０】
本比較例においては、制御が可能な最小電流値（第２上限電流Ｉｕ２、第４上限電流Ｉｕ４）である３ｍＡを適用して調光、調色制御を施した場合、調光の変化に対する調色相関色温度ＣＣＴを一定に保持することは困難であった。これに対し、図７、図８Ａ〜図８Ｆで示したとおり、本実施の形態に係る照明装置１によれば調色相関色温度ＣＣＴを変化率の小さい略一定の値に保持することができた。したがって、本実施の形態に係る照明装置１によれば、調光時の調色相関色温度ＣＣＴによって生じる違和感を解消することができ、有用性の高い照明装置を提供することができる。
【符号の説明】
【０２４１】
１  照明装置
３  第１ＬＥＤ
３ｃ  電流経路
３ｇ  第１ＬＥＤ部
５  第２ＬＥＤ
５ｃ  電流経路
５ｇ  第２ＬＥＤ部
７  スイッチング電源
７ｇ  基準線
７ｐ  電源線
８  スイッチング電源
８ｇ  基準線
８ｐ  電源線
１０  第１点灯回路
１１  第１定電流回路
１２  第１定電圧回路
１３  第２定電流回路
２０  第２点灯回路
２１  第３定電流回路
２２  第２定電圧回路
２３  第４定電流回路
３０  制御部
３１  データ記憶部
３２  指定信号入力部
３３  指定信号判定部
４０  リモートコントローラ
Ａｒ１  第１電流範囲
Ａｒ２  第２電流範囲
Ｃ１、Ｃ２  電解コンデンサー
ＣＣＴ  相関色温度
ＣＴ１  第１相関色温度
ＣＴ２  第２相関色温度
Ｄ１、Ｄ２  整流ダイオード
Ｉｄｃ  第２点灯電流
Ｉｄｗ  第１点灯電流
Ｉｕ２  第２上限電流
Ｉｕ４  第４上限電流
ＯＡ１１  第１演算増幅器
ＯＡ１２  第２演算増幅器
ＯＡ１３  第３演算増幅器
ＯＡ２１  第４演算増幅器
ＯＡ２２  第５演算増幅器
ＯＡ２３  第６演算増幅器
ＯＲ１、ＯＲ２  オア回路
ＰＣ１１  ホトカプラー発光部
ＰＣ１２  ホトカプラー受光部
ＰＣ２１  ホトカプラー発光部
ＰＣ２２  ホトカプラー受光部
Ｐｍ１、Ｐｍ２  変調パルス
ＰＳ  直流電源
Ｑ１１  スイッチングトランジスタ
Ｑ１２  駆動トランジスタ
Ｑ１３  トランジスタ
Ｑ１４  パルストランジスタ
Ｑ２１  スイッチングトランジスタ
Ｑ２２  駆動トランジスタ
Ｑ２３  トランジスタ
Ｑ２４  パルストランジスタ
Ｒ１１  電流検出抵抗
Ｒ１２  抵抗
Ｒ１３、Ｒ１４  分圧抵抗
Ｒ２１  電流検出抵抗
Ｒ２２  抵抗
Ｒ２３、Ｒ２４  分圧抵抗
ＳＣ１、ＳＣ２  スイッチング制御回路
ＳＴ１、ＳＴ２  高周波変圧器
Ｖｄ１  第１点灯電圧
Ｖｄ２  第２点灯電圧
Ｖｄ３  第３点灯電圧
Ｖｄ４  第４点灯電圧
Ｖｆ１  第１順方向電圧
Ｖｆ２  第２順方向電圧
Ｖｆ３  第３順方向電圧
Ｖｆ４  第４順方向電圧
Ｖｒｅｆ１１  第１参照電圧
Ｖｒｅｆ１２  第２参照電圧
Ｖｒｅｆ１３  第３参照電圧
Ｖｒｅｆ２１  第４参照電圧
Ｖｒｅｆ２２  第５参照電圧
Ｖｒｅｆ２３  第６参照電圧
【図１Ａ】
0005956191.tif 000002
【図１Ｂ】
0005956191.tif 000003
【図２Ａ】
0005956191.tif 000004
【図２Ｂ】
0005956191.tif 000005
【図３】
0005956191.tif 000006
【図４】
0005956191.tif 000007
【図５】
0005956191.tif 000008
【図６Ａ】
0005956191.tif 000009
【図６Ｂ】
0005956191.tif 000010
【図６Ｃ】
0005956191.tif 000011
【図６Ｄ】
0005956191.tif 000012
【図６Ｅ】
0005956191.tif 000013
【図６Ｆ】
0005956191.tif 000014
【図７】
0005956191.tif 000015
【図８Ａ】
0005956191.tif 000016
【図８Ｂ】
0005956191.tif 000017
【図８Ｃ】
0005956191.tif 000018
【図８Ｄ】
0005956191.tif 000019
【図８Ｅ】
0005956191.tif 000020
【図８Ｆ】
0005956191.tif 000021